(57)【要約】公衆警報システム（ＰＷＳ）メッセージを中継するための方法が、提供される。本方法は、通信デバイスが、第１の通信技術を経由してＰＷＳメッセージを受信するステップを含む。本方法はまた、通信デバイスが、第２の通信技術を経由してＰＷＳメッセージの全てまたは一部を中継するステップを含み、第２の通信技術は、第１の通信技術と異なる。公衆警報システム（ＰＷＳ）メッセージを中継するための方法が提供され、前記方法は、通信デバイスにおいて、第１の通信技術を経由してＰＷＳメッセージを受信することと、前記通信デバイスによって、第２の通信技術を経由して前記ＰＷＳメッセージの全てまたは一部を含む第１の出力メッセージを伝送することであって、前記第２の通信技術は、前記第１の通信技術と異なる、こととを含む。【選択図】図３
2020519122.tif 000002
【特許請求の範囲】
【請求項１】
公衆警報システム（ＰＷＳ）メッセージを中継するための方法であって、前記方法は、
通信デバイスにおいて、第１の通信技術を経由してＰＷＳメッセージを受信することと、
前記通信デバイスによって、第２の通信技術を経由して前記ＰＷＳメッセージの全てまたは一部を含む第１の出力メッセージを伝送することであって、前記第２の通信技術は、前記第１の通信技術と異なる、ことと
を含む、方法。
【請求項２】
前記第１の通信技術は、無線アクセス技術（ＲＡＴ）を含み、前記第２の通信技術は、近距離通信技術を含む、請求項１に記載の方法。
【請求項３】
前記ＰＷＳメッセージは、電気通信ネットワーク内のネットワークノードから前記ＲＡＴを経由して受信され、前記電気通信ネットワークは、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ（登録商標））／ＧＳＭ（登録商標）進化型高速データレート（ＥＤＧＥ）無線アクセスネットワーク（ＧＥＲＡＮ）、ユニバーサル移動体通信システム（ＵＭＴＳ）、ユニバーサル地上無線アクセスネットワーク（ＵＴＲＡＮ）、進化型ＵＴＲＡＮ（Ｅ−ＵＴＲＡＮ）、または新世代無線アクセスネットワークを含む、請求項２に記載の方法。
【請求項４】
伝送することは、前記通信デバイスが、デバイスツーデバイス（Ｄ２Ｄ）インターフェースを介して遠隔ユーザ機器（ＵＥ）に前記近距離通信技術を経由して前記ＰＷＳメッセージの全てまたは一部を中継することを含む、請求項２に記載の方法。
【請求項５】
前記通信デバイスが、前記遠隔ＵＥに前記ＰＷＳメッセージの全てまたは一部を中継することに先立って、前記第１の出力メッセージをフォーマットすることをさらに含み、前記第１の出力メッセージは、
前記第１の通信技術であって、それを経由して前記ＰＷＳメッセージが前記通信デバイスによって受信された、前記第１の通信技術、または、
前記ＰＷＳメッセージ内のメッセージ識別子
のうちの少なくとも１つに基づいてフォーマットされる、請求項４に記載の方法。
【請求項６】
前記通信デバイスによって、前記ＲＡＴを経由して前記ＰＷＳメッセージを受信することと、
前記通信デバイスによって、前記ＰＷＳメッセージに関連する二次ＰＷＳメッセージが利用可能であるかどうかを決定することと、
前記二次ＰＷＳメッセージが利用可能であると決定することに応答して、前記通信デバイスによって、前記Ｄ２Ｄインターフェースを介して前記近距離通信技術を経由して前記遠隔ＵＥに前記二次ＰＷＳメッセージを中継することであって、前記Ｄ２Ｄインターフェースは、ＰＣ５インターフェースを備える、ことと
をさらに含む、請求項４に記載の方法。
【請求項７】
前記通信デバイスは、前記近距離通信技術を経由して、前記ＰＷＳメッセージを分散環境通知メッセージ（ＤＥＮＭ）として遠隔ユーザ機器（ＵＥ）に中継し、前記ＤＥＮＭは、高度道路交通システム（ＩＴＳ）規格に基づく、請求項２に記載の方法。
【請求項８】
通信デバイスであって、
命令を含有するメモリと、
プロセッサであって、前記プロセッサは、前記メモリに結合されており、前記通信デバイスが、
第１の通信技術を経由して公衆警報システム（ＰＷＳ）メッセージを受信することと、
第２の通信技術を経由して前記ＰＷＳメッセージの全てまたは一部を含むＰＷＳ出力メッセージを伝送することであって、前記第２の通信技術は、前記第１の通信技術と異なる、ことと
を行うように、前記命令を実行するように構成される、プロセッサと
を備える、通信デバイス。
【請求項９】
前記第１の通信技術は、無線アクセス技術（ＲＡＴ）を含み、前記第２の通信技術は、近距離通信技術を含む、請求項８に記載の通信デバイス。
【請求項１０】
前記ＰＷＳメッセージは、電気通信ネットワーク内のネットワークノードから前記ＲＡＴを経由して受信され、前記電気通信ネットワークは、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ）／ＧＳＭ進化型高速データレート（ＥＤＧＥ）無線アクセスネットワーク（ＧＥＲＡＮ）、ユニバーサル移動体通信システム（ＵＭＴＳ）、ユニバーサル地上ＲＡＮ（ＵＴＲＡＮ）、進化型ＵＴＲＡＮ（Ｅ−ＵＴＲＡＮ）、または新世代無線アクセスネットワークを含む、請求項９に記載の通信デバイス。
【請求項１１】
前記通信デバイスは、デバイスツーデバイス（Ｄ２Ｄ）インターフェースを介して遠隔ユーザ機器（ＵＥ）に前記近距離通信技術を経由して前記ＰＷＳメッセージの全てまたは一部を中継する、請求項９に記載の通信デバイス。
【請求項１２】
前記通信デバイスは、前記Ｄ２Ｄインターフェースを介して前記遠隔ＵＥに前記ＰＷＳメッセージの全てまたは一部を中継することに先立って、前記ＰＷＳ出力メッセージをフォーマットし、前記Ｄ２Ｄインターフェースは、ＰＣ５インターフェースを備え、前記ＰＷＳ出力メッセージは、
前記第１の通信技術であって、それを経由して前記ＰＷＳメッセージが前記通信デバイスによって受信された、前記第１の通信技術、または、
前記ＰＷＳメッセージ内のメッセージ識別子
のうちの少なくとも１つに基づいてフォーマットされる、請求項１１に記載の通信デバイス。
【請求項１３】
前記命令を実行することは、前記通信デバイスが、
前記ＲＡＴを経由して前記ＰＷＳメッセージを受信することと、
前記ＰＷＳメッセージに関連する二次ＰＷＳメッセージが利用可能であるかどうかを決定することと、
前記二次ＰＷＳメッセージが利用可能であると決定することに応答して、前記近距離通信技術を経由して遠隔ユーザ機器（ＵＥ）に前記二次ＰＷＳメッセージを中継することと
を行うようなものである、請求項９に記載の通信デバイス。
【請求項１４】
命令を含有するコンピュータ可読媒体であって、前記命令は、実行されると、プロセッサに、通信デバイス上で方法を実装させるように前記プロセッサによって実行可能であり、前記方法は、
前記通信デバイスにおいて、第１の通信技術を経由して公衆警報システム（ＰＷＳ）メッセージを受信することと、
前記通信デバイスによって、第２の通信技術を経由して前記ＰＷＳメッセージの全てまたは一部を含むＰＷＳ出力メッセージを伝送することであって、前記第２の通信技術は、前記第１の通信技術と異なる、ことと
を含む、コンピュータ可読媒体。
【請求項１５】
前記第１の通信技術は、無線アクセス技術（ＲＡＴ）を含み、前記第２の通信技術は、近距離通信技術を含む、請求項１４に記載のコンピュータ可読媒体。
【請求項１６】
前記ＰＷＳメッセージは、電気通信ネットワーク内のネットワークノードから前記ＲＡＴを経由して受信され、前記電気通信ネットワークは、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ）／ＧＳＭ進化型高速データレート（ＥＤＧＥ）無線アクセスネットワーク（ＧＥＲＡＮ）、ユニバーサル移動体通信システム（ＵＭＴＳ）、ユニバーサル地上無線アクセスネットワーク（ＵＴＲＡＮ）、進化型ＵＴＲＡＮ（Ｅ−ＵＴＲＡＮ）、または新世代無線アクセスネットワークを含む、請求項１５に記載のコンピュータ可読媒体。
【請求項１７】
前記通信デバイスは、デバイスツーデバイス（Ｄ２Ｄ）インターフェースを介して遠隔ユーザ機器（ＵＥ）に前記近距離通信技術を経由して前記ＰＷＳメッセージの全てまたは一部を中継する、請求項１５に記載のコンピュータ可読媒体。
【請求項１８】
前記方法はさらに、前記通信デバイスが、前記Ｄ２Ｄインターフェースを介して前記遠隔ＵＥに前記ＰＷＳメッセージの全てまたは一部を中継することに先立って、前記ＰＷＳ出力メッセージをフォーマットすることを含み、前記Ｄ２Ｄインターフェースは、ＰＣ５インターフェースを備え、
前記ＰＷＳ出力メッセージは、
前記第１の通信技術であって、それを経由して前記ＰＷＳメッセージが前記通信デバイスによって受信された、前記第１の通信技術、または、
前記ＰＷＳメッセージ内のメッセージ識別子
のうちの少なくとも１つに基づいてフォーマットされる、請求項１７に記載のコンピュータ可読媒体。
【請求項１９】
前記方法はさらに、
前記通信デバイスによって、前記ＧＥＲＡＮまたはＲＡＴを経由して前記ＰＷＳメッセージを受信することと、
前記通信デバイスによって、前記ＰＷＳメッセージに関連する二次ＰＷＳメッセージが利用可能であるかどうかを決定することと、
前記二次ＰＷＳメッセージが利用可能であると決定することに応答して、前記通信デバイスによって、前記近距離通信技術を経由して前記遠隔ＵＥに前記二次ＰＷＳメッセージを中継することと
を含む、請求項１７に記載のコンピュータ可読媒体。
【請求項２０】
前記通信デバイスは、前記近距離通信技術を経由して、前記ＰＷＳメッセージを分散環境通知メッセージ（ＤＥＮＭ）として遠隔ユーザ機器（ＵＥ）に中継し、前記ＤＥＮＭは、高度道路交通システム（ＩＴＳ）規格に基づく、請求項１５に記載のコンピュータ可読媒体。
【発明の詳細な説明】
【背景技術】
【０００１】
電気通信技術が進化するにつれて、以前には可能ではなかったサービスを提供し得る、より高度なネットワークアクセス機器が、導入されている。本ネットワークアクセス機器は、伝統的な無線電機通信システムにおける同等の機器の改良物であるシステムおよびデバイスを含み得る。そのような高度なネットワークアクセス機器は、ロングタームエボリューション（ＬＴＥ）等の進化する無線通信規格に含まれ得る。例えば、ＬＴＥシステムでは、高度なネットワークアクセス機器は、進化型ユニバーサル地上無線アクセスネットワーク（Ｅ−ＵＴＲＡＮ）ノードＢ（ｅＮＢ）を含み得る。種々の無線通信システムでは、高度なネットワークアクセス機器は、基地局、無線アクセスポイント、または対応する無線通信規格に従ってアクセスノードとして動作可能な類似するコンポーネントを含み得る。任意のそのようなコンポーネントは、本明細書では、ｅＮＢと称されるであろうが、そのようなコンポーネントは、必ずしもｅＮＢではないことを理解されたい。そのようなコンポーネントはまた、本明細書では、アクセスノードまたは基地局と称され得る。
【発明の概要】
【課題を解決するための手段】
【０００２】
本明細書で使用されるように、用語「ユーザ機器」（ＵＥ）は、モバイル電話、携帯情報端末、ハンドヘルドまたはラップトップコンピュータ、および電気通信能力を有する類似するデバイス等のモバイルデバイスを指し得る。そのようなＵＥは、無線デバイスと、加入者識別モジュール（ＳＩＭ）アプリケーション、汎用加入者識別モジュール（ＵＳＩＭ）アプリケーション、または可撤性ユーザ識別モジュール（Ｒ−ＵＩＭ）アプリケーションを含むその関連付けられる汎用集積回路カード（ＵＩＣＣ）とを備え得る、またはそれ自体がそのようなカードを伴わないデバイスを備え得る。用語「ＵＥ」はまた、固定回線電話、デスクトップコンピュータ、またはセットトップボックス等、類似する能力を有するが、移送可能ではないデバイスを指し得る。用語「ＵＥ」はまた、セッションインターネットプロトコル（ＳＩＰ）セッションを終了し得る任意のハードウェアまたはソフトウェアコンポーネントを指し得る。
【図面の簡単な説明】
【０００３】
本開示のより完全な理解のために、ここで、同様の参照番号が同様の部分を表す、付随の図面および詳細な説明と関連して検討される、以下の簡潔な説明が参照される。
【０００４】
【図１】図１は、本開示のある実施形態による、セキュリティアーキテクチャの例示的図である。
【０００５】
【図２】図２は、本開示のある実施形態による、例示的車車間・路車間（Ｖ２Ｘ）通信システムを図示する。
【０００６】
【図３】図３および４は、本開示の実施形態による、公衆警報システム（ＰＷＳ）メッセージを中継するための例示的フロー図である。
【図４】図３および４は、本開示の実施形態による、公衆警報システム（ＰＷＳ）メッセージを中継するための例示的フロー図である。
【０００７】
【図５】図５は、本開示のある実施形態による、構成情報を含む例示的データ構造の略図である。
【０００８】
【図６】図６は、本開示のある実施形態による、例示的ＰＷＳデータ構造の略図である。
【０００９】
【図７】図７−９は、本開示の実施形態による、ＰＷＳデータ構造の可能性として考えられる例示的実装を図示する。
【図８】図７−９は、本開示の実施形態による、ＰＷＳデータ構造の可能性として考えられる例示的実装を図示する。
【図９】図７−９は、本開示の実施形態による、ＰＷＳデータ構造の可能性として考えられる例示的実装を図示する。
【００１０】
【図１０】図１０および１１は、本開示のある実施形態による、ＰＷＳメッセージを識別する、可能性として考えられる例示的実装を図示する。
【図１１】図１０および１１は、本開示のある実施形態による、ＰＷＳメッセージを識別する、可能性として考えられる例示的実装を図示する。
【００１１】
【図１２】図１２は、本開示のある実施形態による、高度道路交通システム（ＩＴＳ）プロトコルデータユニット（ＰＤＵ）ヘッダの可能性として考えられる例示的実装を図示する。
【００１２】
【図１３】図１３は、本開示のある実施形態による、ＰＷＳヘッダの実施例を図示する。
【００１３】
【図１４】図１４は、本開示の実施形態による、ＰＷＳメッセージを中継するための例示的フロー図である。
【００１４】
【図１５−１】図１５は、本開示のある実施形態による、分散環境通知メッセージ（ＤＥＮＭ）の可能性として考えられる例示的データ構造を図示する。
【図１５−２】図１５は、本開示のある実施形態による、分散環境通知メッセージ（ＤＥＮＭ）の可能性として考えられる例示的データ構造を図示する。
【００１５】
【図１６】図１６は、一実施形態による、例示的ネットワーク要素のブロック図である。
【００１６】
【図１７】図１７は、本明細書に説明される実施形態におけるシステムおよび方法と併用されることが可能な例示的ユーザ機器を示す、ブロック図である。
【００１７】
【図１８】図１８は、本開示のいくつかの実施形態を実装するために好適なプロセッサおよび関連コンポーネントの実施例を図示する。
【発明を実施するための形態】
【００１８】
最初に、本開示の１つ以上の実施形態の例証的実装が下記に提供されるが、開示されるシステムおよび／または方法は、現在公知であるか、または存在するかどうかにかかわらず、任意の数の技法を使用して実装され得ることを理解されたい。本開示は、本明細書に例証および説明される例示的設計および実装を含む、下記に例証される例証的実装、図面、および技法にいかようにも限定されるべきではなく、それらの均等物の全範囲とともに、添付される請求項の範囲内で修正されてもよい。
【００１９】
本明細書、請求項、および図全体を通して使用されるように、下記の頭字語は、以下の定義を有する。別様に記載されない限り、全ての用語は、第３世代パートナーシッププログラム（３ＧＰＰ）技術仕様書によって、またはＯＭＡ（オープンモバイルアライアンス）によって記載される規格によって定義され、それに従う。
３ＧＰＰ            第３世代パートナーシッププロジェクト
ＡＰ                アクセスポイント
ＡＳ                アプリケーションサーバ
ＢＳＣ              基地局コントローラ
ＢＴＳ              ベーストランシーバ基地局
ＣＡＭ              協働認識メッセージ
ＣＢＣ              セルブロードキャストセンタ
ＣＢＥ              セルブロードキャストエンティティ
ＣＢＭ              セルブロードキャストメッセージ
ＣＢＳ              セルブロードキャストサービス
ＣＭＡＳ            商業モバイルアラートシステム
ＣＳＣＦ            呼セッション制御機能
ＤＥＮＭ            分散環境通知メッセージ
Ｄ２Ｄ              デバイスツーデバイス（通信）
ＥＤＧＥ            ＧＳＭ進化型高速データレート
ｅＰＤＧ            進化型パケットデータゲートウェイ
ＥＴＷＳ            地震および津波警報システム
ＥＵ−ＡＬＥＲＴ    欧州アラート／警報システム
Ｅ−ＵＴＲＡ（Ｎ）  進化型ユニバーサル地上アクセス（ネットワーク）
ＧＥＲＡＮ          ＧＳＭ／ＥＤＧＥ無線アクセスネットワーク
ＧＧＳＮ            ゲートウェイＧＰＲＳサポートノード
ＧＰＲＳ            汎用パケット無線サービス
ＧＲＵＵ            グローバルルーティング可能ユーザエージェントＵＲＩ
ＧＳＭ              Ｇｌｏｂａｌ  Ｓｙｓｔｅｍ  ｆｏｒ  Ｍｏｂｉｌｅ  ｃｏｍｍｕｎｉｃａｔｉｏｎｓ
ＨＬＲ              ホームロケーションレジスタ
ＨＳＳ              ホーム加入者サーバ
ＩＢＣＦ            相互接続境界制御機能
Ｉ−ＣＳＣＦ        照会ＣＳＣＦ
ＩＰ                インターネットプロトコル
ＩＭＳ              ＩＰマルチメディアサブシステム
ＩＳＩＭ            ＩＰマルチメディアサービス識別モジュール
ＩＴＳ              高度道路交通システム
ＩＴＳ−ＡＩＤ      ＩＴＳアプリケーション識別子
ＫＰＡＳ            韓国公衆警報システム
ＬＴＥ              ロングタームエボリューション
ＭＣＳ              変調および符号化スキーム
ＭＥ                モバイル機器
ＭＭＥ              モバイル管理エンティティ
ＭＳＣ              移動交換局
ＮＲ                新世代無線アクセス技術
Ｐ−ＣＳＣＦ        プロキシ−ＣＳＣＦ
ＰＤＮ−ＧＷ        パケットデータネットワーク（ＰＤＮ）ゲートウェイ
Ｐ−ＧＷ            パケットゲートウェイ
ＰＬＭＮ            公衆地上モバイルネットワーク
ＰＲＢ              物理リソースブロック
ＰＳＣＣＨ          物理サイドリンク制御チャネル
ＰＳＳＣＨ          物理サイドリンク共有チャネル
ＰＷＳ              公衆警報システム
ＲＡＮ              無線アクセスネットワーク
ＲＮＣ              無線ネットワークコントローラ
ＲＲＣ              無線リソース制御
ＲＳＵ              路側ユニット
ＳＢＣ              セッションボーダコントローラ
ＳＣＩ              サイドリンク制御情報
Ｓ−ＣＳＣＦ        サービングＣＳＣＦ
Ｓ−ＧＷ            サービングゲートウェイ
ＳＧＳＮ            サービングＧＰＲＳサポートノード
ＳＩＢ              システム情報ブロック
ＴＳ                技術仕様書
ＵＥ                ユーザ機器
ＵＭＴＳ            ユニバーサル移動体通信システム
ＵＲＬ              ユニフォームリソースロケータ
ＵＳＩＭ            汎用加入者識別モジュール
ＵＴＲＡ（Ｎ）      ユニバーサル地上無線アクセス（ネットワーク）
Ｖ２Ｘ              車車間・路車間
ＷＬＡＮ            無線ローカルエリアネットワーク
ＷＰＡＳ            無線公衆アラートサービス（カナダ）
【００２０】
本明細書、請求項、および図全体を通して使用されるように、下記の用語は、以下の定義を有する。
【化１】
2020519122.tif 000003
【００２１】
Ｉ．ＰＷＳのシステムおよびセキュリティアーキテクチャ
【００２２】
図１は、ＰＷＳシステムおよびセキュリティアーキテクチャ１００の例示的ブロック図を描写する。アーキテクチャ１００は、１つ以上のアクセスネットワーク（例えば、ＧＥＲＡＮ１０５、ＵＴＲＡＮ１１０、Ｅ−ＵＴＲＡＮ１１５、および同等物）と、コアネットワーク１２０とを備えてもよい。ＵＥ１２５は、「基準点」またはエアインターフェースを経由してアクセスネットワークのうちの１つ以上のものに接続してもよい。図１では、例えば、ＵＥ１２５は、Ｕｍエアインターフェースを経由してＧＥＲＡＮ１０５内のＢＴＳに接続し、ＵＥ１２５は、Ｕｕエアインターフェースを経由してＵＴＲＡＮ１１０内のＮｏｄｅＢに接続し、ＵＥ１２５は、ＬＴＥ−Ｕｕエアインターフェースを経由してＥ−ＵＴＲＡＮ１１５内のｅＮＢに接続する。しかしながら、ＵＥ１２５とアクセスネットワーク（例えば、ＧＥＲＡＮ１０５、ＵＴＲＡＮ１１０、Ｅ−ＵＴＲＡＮ１１５、および同等物）との間の他のインターフェースも、存在してもよく、アーキテクチャ１００内のその基準点および他の基準点をサポートするために使用されてもよい。
【００２３】
図１の各エアインターフェース（例えば、ＧＥＲＡＮ  Ｕｍ、ＵＭＴＳ  Ｕｕ、およびＬＴＥ−Ｕｕ）は、ブロードキャストインターフェースを備えてもよい。ＰＷＳ警報通知メッセージは、典型的には、例えば、ＧＥＲＡＮに関するＥＴＷＳ一次通知の場合では、ＳＹＳＴＥＭ  ＩＮＦＯＲＭＡＴＩＯＮを介して、またはページングメッセージを介してのいずれかでＵＥ１２５にブロードキャストされるため、ブロードキャストインターフェースは、データ完全性または認証を確実にするためのセキュリティ保護を有していない場合がある。いずれの場合も、いかなる付加的セキュリティも、現在のＰＷＳアーキテクチャにおいて適用されない。
【００２４】
コアネットワーク１２０は、ＭＭＥ１３０およびＳＧＳＮ／ＭＳＣ１３５等の１つ以上のノードを含む、パケットシステムパケット交換（ＰＳ）コアネットワークおよび／またはＩＭＳネットワークを備えてもよい。他の実装では、コアネットワーク１２０は、限定ではないが、ＧＧＳＮ、Ｓ−ＧＷ、Ｐ−ＧＷ、ｅＰＤＧ、ＨＳＳ／ＨＬＲ、Ｐ−ＣＳＣＦ、Ｉ−ＣＳＣＦ、Ｓ−ＣＳＣＦ、ＨＳＳ、ＡＳ、またはＳＢＣ／ＩＢＣＦ等の付加的および／または代替ネットワークノードまたはネットワークエンティティを含んでもよい。コアネットワーク１２０はさらに、各アクセスネットワークに接続されるＣＢＣ１４０を備える。例えば、ＣＢＣ１４０は、ＧＥＲＡＮ１０５内のＢＳＣに接続してもよく、ＣＢＣ１４０は、ＵＴＲＡＮ１１０内のＲＮＣに接続してもよく、ＣＢＣ１４０は、ＭＭＥ１３０を介してＥ−ＵＴＲＡＮ１１５内のｅＮＢに接続してもよい。
【００２５】
ｅＮＢとＭＭＥ１３０との間で使用される基準点は、「Ｓ１−ＭＭＥ」基準点として公知である。ＢＳＣとＳＧＳＮ／ＭＳＣ１３５との間で使用される基準点は、「Ｇｂ」基準点として公知である一方、ＲＮＣとＳＧＳＮ／ＭＳＣ１３５との間で使用される基準点は、「ｌｕ−ｃｓ」基準点として公知である。しかしながら、アクセスネットワーク（例えば、ＧＥＲＡＮ１０５、ＵＴＲＡＮ１１０、およびＥ−ＵＴＲＡＮ１１５）とコアネットワーク１２０との間の他のインターフェースも、存在してもよく、アーキテクチャ１００内のその基準点および他の基準点をサポートするために使用されてもよい。
【００２６】
ＣＢＣ１４０は、ＣＢＥ１４５に接続されてもよく、これは、本明細書では、いくつかのセグメントへのＣＢＳメッセージの分割およびそのようなメッセージの署名を含む、ＣＢＳメッセージングをフォーマットする全ての側面に関与すると仮定される。１つのみのＣＢＥ１４５が図１に描写されるが、他の実施形態では、ＣＢＣ１４０が、複数のＣＢＥに接続されることが可能である。
【００２７】
ＩＩ．公衆警報システム（ＰＷＳ）
【００２８】
ＰＷＳは、災害および他の緊急事態に関するタイムリーかつ正確なアラート、警報、および重要な情報を提供するために使用される。ＰＷＳは、現在、セキュリティを伴わずに３ＧＰＰ  ＴＳ  ２３．０４１において定義され、ＫＰＡＳ、ＥＵ−ＡＬＥＲＴ、ＣＭＡＳ、およびＥＴＷＳ等の地域緊急サービスのためのフレームワークを提供する。
【００２９】
ＣＭＡＳまたはカナダのＷＰＡＳでは、推奨されないが、埋め込みＵＲＬまたは電話番号をアラートメッセージ内に含むことが、可能である。埋め込みＵＲＬは、ユーザが、ウェブサイトを訪問し、より豊富なコンテンツ／特徴を取得し、アラートを補完することを可能にする。ＥＴＷＳのために使用される情報またはメッセージエンコーディングは、他のシステムのために使用される情報またはメッセージエンコーディングと異なる。ＥＴＷＳアラートは、ＰＬＭＮ全体、セル全体、またはある場所、サービス、または追跡エリアに特有であってもよい。
【００３０】
Ｅ−ＵＴＲＡＮでは、ＥＴＷＳ警報アラートは、ＥＴＷＳ一次通知および／またはＥＴＷＳ二次通知を介して提供されてもよい。Ｅ−ＵＴＲＡＮでは、ＣＭＡＳ警報アラートが、ＣＭＡＳ通知を介して提供されてもよい。類似するエアインターフェース機構が、異なるタイプの警報アラート通知の存在を示すために使用され、すなわち、ページングメッセージが、ＥＴＷＳインジケーションまたはＣＭＡＳインジケーションのいずれかを含有してもよい。そのようなページングメッセージを受信すると、ＵＥ（例えば、ＵＥ１２５）は、ＥＴＷＳ通知またはＣＭＡＳ通知を含有する別のＳＩＢ（例えば、ＳＩＢ１０、ＳＩＢ１１、またはＳＩＢ１２）を検出するために、第１のシステム情報ブロック（例えば、ＳＩＢ１）を受信する必要があり得る。ＳＩＢ１に基づいて、ＵＥは、他のＳＩＢが（ＥＴＷＳ一次通知を搬送する）ＳＩＢ１０、（ＥＴＷＳ二次通知を搬送する）ＳＩＢ１１、または（ＣＭＡＳ通知を搬送する）ＳＩＢ１２のうちの１つであると決定し得る。ＵＥがＳＩＢ１０を受信するためにかかる時間は、ＵＥがＳＩＢ１１またはＳＩＢ１２を受信するためにかかる時間と事実上同一であり得る。
【００３１】
ＵＴＲＡＮ／ＧＥＲＡＮでは、一次通知は、ページングメッセージの内側で送信される一方、二次通知は、ＣＢＭ内で送信され、これは、不連続受信（ＤＲＸ）に起因して、最大１分遅延され得る。したがって、一次通知は、二次通知よりも比較的に速く配信され得る。
【００３２】
各ＰＷＳメッセージは、ＵＥが受信されている異なるＰＷＳメッセージを区別し得るように、識別子、例えば、シリアル番号を有する。識別子またはシリアル番号の一部として、数ビット（例えば、２ビット）が、メッセージの地理的範囲を示すために使用されてもよい。
【００３３】
ＩＩＩ．車車間・路車間（Ｖ２Ｘ）
【００３４】
Ｖ２Ｘは、車両および歩行者が安全に道路網を横断し得るように、車両が、歩行者のＵＥ、他の車両、またはインフラストラクチャと通信し（逆もまた同様である）、有用な情報を交換することを可能にするサービス（またはサービスのセット）である。Ｖ２Ｘは、３ＧＰＰ  ＴＳ  ２３．２８５において規定されるＶ２Ｘ技術に特有の側面を伴う３ＧＰＰ  ＴＳ  ２３．３０３において定義される、近接サービス（ＰｒｏＳｅ）アーキテクチャを活用する。関連する１つのそのような側面は、ＲＳＵとしてＶ２Ｘアーキテクチャにおいて使用され得る、中継エンティティを含む。
【００３５】
図２は、Ｖ２Ｘ技術に基づく例示的アーキテクチャ２００を描写する。アーキテクチャ２００では、ＵＥ２０５Ａ、２０５Ｂ、２０５Ｃ、および２０５Ｄ（集合的に、２０５と称される）は、Ｖ２Ｘメッセージの伝送および受信の両方のために使用され得る、ＰＣ５インターフェースを介して相互に近接する１つ以上の他のＵＥ２０５（ＵＥタイプＲＳＵ２１０を含む）と通信してもよい。ＵＥタイプＲＳＵ２１０は、例えば、直接ＰＣ５通信範囲を越えるＶ２Ｘメッセージの通信を管理するために、必要に応じて、ＬＴＥ−Ｕｕインターフェースを経由して１つ以上のＶ２Ｘアプリケーションサーバ２１５と通信してもよい。Ｖ２Ｘアプリケーションサーバ２１５は、進化型パケットコア（ＥＰＣ）ネットワーク内に描写されるが、Ｖ２Ｘアプリケーションサーバ２１５は、任意の好適なネットワーク内に展開されてもよい。また、本略図が、ＬＴＥネットワークを表すが、ＵＥ２０５からＲＳＵ２１０への１つのインターフェースおよび基地局を介したＲＳＵ２１０からコアネットワークへの別のインターフェースが存在する５Ｇシステムに等しく適用可能であることを理解されたい。
【００３６】
ＩＶ．Ｄ２Ｄ／サイドリンク通信
【００３７】
サイドリンク通信は、認可されたＵＥが、例えば、いかなるセルラーカバレッジも存在しないとき、他のＵＥまたは無線機器（例えば、ＲＳＵまたはリレー）と通信する、または許可されたスペクトル内での無線リソースの使用またはセルラーネットワークのトラフィック容量の枯渇を回避することを可能にする。これは、ＵＥ間またはＵＥと別の無線機器との間の直接通信を使用することによって達成される。サイドリンク通信は、典型的には、ＰＣ５インターフェースとして公知の無線インターフェースを経由して実施される。インフラストラクチャまたはネットワークのカバレッジ外にある、またはそれに直接接続されていないＵＥはさらに、サイドリンク通信を使用することによって、ＲＳＵまたはリレーを通して本インフラストラクチャまたは本ネットワークと通信してもよい。
【００３８】
ＵＥは、メッセージのために使用される宛先レイヤ２  ＩＤに基づいて、サイドリンクを経由して受信されたメッセージが、あるＶ２Ｘアプリケーションのためのものであると判別し得る。レイヤ２  ＩＤコードポイント値は、３ＧＰＰ仕様において定義されない場合があるが、３ＧＰＰ  ＴＳ  ２３．２８５は、レイヤ２  ＩＤがＰＣ５インターフェースを経由するＶ２Ｘ通信のためにＵＥに構成されることを規定する。
【００３９】
Ｖ．Ｖ２Ｘに関するサイドリンク通信
【００４０】
ＰｒｏＳｅサイドリンク通信に関して、Ｖ２Ｘサイドリンク伝送／受信は、ＵＥにおいて事前構成される、Ｕｕブロードキャスト（例えば、システム情報メッセージ）によって構成される、またはＵｕ専用情報（例えば、接続モードシグナリング）によって構成され得る、リソースプール（例えば、ＵＥがカバレッジ外にある場合に使用され得るリソース）に基づく。
【００４１】
あるリソースプールは、ある条件においてのみ使用されてもよい。例えば、いくつかのリソースプールは、地理的場所と関連付けられてもよい一方、例外的なリソースプールは、セルまたは地理的区域間のモビリティの間に使用されてもよい。プール内のリソースは、許可されたサブフレーム（オフセット、ビットマップ）および周波数（例えば、ＰＲＢ）の観点から定義されてもよい。
【００４２】
さらに、サイドリンク伝送は、リソース感知、ＭＣＳ、ＰＲＢ番号、再伝送番号等の伝送パラメータ、ＵＥ特有パラメータ（例えば、ＵＥ絶対速度に依存する）、およびＵＥ自律的リソース選択における同期参照タイプ（すなわち、全地球ナビゲーション衛星システム（ＧＮＳＳ）、ｅＮＢ、またはＵＥ）を受けてもよい。Ｖ２Ｘメッセージの伝送等の伝送発生は、ＰＳＣＣＨにおいて伝送される制御部分（例えば、ＳＣＩ）およびＰＳＳＣＨにおいて伝送される関連付けられるデータ部分を伴ってもよい。ＰＳＣＣＨおよび関連付けられるＰＳＳＣＨは、同一のサブフレーム内または異なるサブフレーム内で起こってもよい。
【００４３】
Ｖ２Ｘサイドリンク通信のために定義されるＳＣＩフォーマット１は、対応するデータ部分を適切に取り扱うための情報を含有する。そのような情報は、優先順位、周波数リソース場所、伝送前の時間ギャップ、およびＭＣＳを含んでもよい。ＳＣＩフォーマット０が、ＰｒｏＳｅサイドリンク通信のために使用されることに留意されたい。
【００４４】
Ｖ２Ｘサイドリンク通信をサポートするＵＥは、リソース分配の２つのモードのうちの１つにおいて動作してもよい。第１のモードは、ネットワークスケジューリングリソース分配（またはサイドリンクモード３）として説明されてもよく、ＵＥは、データを伝送するために、ＲＲＣ＿ＣＯＮＮＥＣＴＥＤ状態にある必要がある。ネットワークスケジューリングリソース分配モードにおいて動作するとき、ＵＥは、ｅＮＢから伝送リソースを要求し、これは、サイドリンク制御情報およびデータの伝送のためにそのようなリソースをスケジューリングする。
【００４５】
第２のモードは、自律的リソース選択（またはサイドリンクモード４）として説明されてもよく、ＵＥは、リソースプールからリソースを自律的に選択してもよく、トランスポートフォーマット選択を実施し、サイドリンク制御情報およびデータを伝送する。区域とＶ２Ｘサイドリンク伝送リソースプールとの間のマッピングが構成される場合、ＵＥは、ＵＥが位置する区域に基づいて、Ｖ２Ｘサイドリンクリソースプールを選択する。自律的リソース分配モードにおいて動作するとき、ＵＥは、サイドリンクリソースの選択（または再選択）に関する感知を実施してもよい。感知結果に基づいて、ＵＥは、いくつかの具体的サイドリンクリソースを選択（または再選択）してもよく、複数のサイドリンクリソースを予約してもよい。ＵＥは、最大２つの並行した独立したリソース予約プロセスを実施することを可能にされる。ＵＥはまた、そのＶ２Ｘサイドリンク伝送のために単一のリソース選択を実施することを可能にされる。
【００４６】
ＶＩ．Ｖ２Ｘアプリケーション層
【００４７】
Ｖ２Ｘアプリケーション層は、自動車内、路側ユニット内、または歩行者デバイス内に常駐し得る種々のＶ２Ｘアプリケーションの間で情報を搬送する。ヨーロッパ電気通信標準化協会（ＥＴＳＩ）は、これらの種々のエンティティによって送信および受信され得るメッセージのフレームワークを網羅する、ＩＴＳを定義している。メッセージは、ＣＡＭおよびＤＥＮＭを含む異なるタイプに分割される。ＣＡＭは、限定ではないが、位置、動態、および属性等の送信側についての情報を含有する、周期的に伝送されるメッセージである。ＤＥＮＭは、限定ではないが、道路危険条件、例えば、環境イベントまたは交通イベントについての情報を含有し得るメッセージである。ＣＡＭおよびＤＥＮＭに関する付加的詳細は、それぞれ、ＥＴＳＩ  ＥＮ  ３０２  ６３７−２およびＥＴＳＩ  ＥＮ  ３０２  ６３７−３に見出され得る。
【００４８】
前述で言及されるように、セルラーネットワークは、例えば、地震、竜巻等の緊急事態の場合に使用されるＰＷＳメッセージ等のブロードキャスト情報を配信してもよい。現在のＰＷＳアーキテクチャ下では、そのような情報の配信は、セルラーネットワーク上に留まるスマートフォン等のデバイス（例えば、ＵＥ）に限定される。しかしながら、いくつかのデバイスは、ネットワークに直接接続しないであろうが、代わりに、例えば、中継エンティティを用いて、Ｄ２Ｄ通信を使用するであろうことが予期される。実施例は、ネットワークとの中継エンティティとして作用する道路交通インフラストラクチャに通信するためにＤ２Ｄを使用する自動車を含んでもよい。これらの自動車のタイプは、限定ではないが、サイドリンク通信に基づく事前インストールされたＶ２Ｘ機能性を伴う自動車またはアフターマーケットサイドリンクＶ２Ｘ機能性モジュールをインストールする従来の自動車（例えば、非ネイティブＶ２Ｘ自動車）を含んでもよい。そのようなデバイス（例えば、Ｖ２Ｘ装備自動車または車載車両用ＵＥ）は、サイドリンクを経由するＰＷＳの伝送が既存の規格に規定されていないため、ＰＷＳメッセージを受信することができない。
【００４９】
それにもかかわらず、車両が、輸送アラート（例えば、近傍の道路が浸水している）、気象アラート（例えば、猛烈な竜巻が接近している）、交通情報、または犯罪報告（例えば、ナンバープレート「ＸＹＺ」を有する自動車と関連付けられる事件）等のある情報を考慮することが、望ましいであろう。本情報は、自動車の挙動を適合させるために、自動車システム自体によって使用され得る。例えば、凍結した道路条件を報告するアラートを受信することに応じて、自動車システムは、自動車に、牽引機構のアクティブ化、代替ルートの検討、全体的安全性能の増加等をさせてもよい。
【００５０】
さらに、Ｖ２Ｘ装備自動車は、サイドリンクを使用してデータをブロードキャストすることができるため、１つの自動車が、無線カバレッジ距離内の他の自動車から通信を受信してもよい。しかしながら、既存のＶ２Ｘアプリケーションは、Ｖ２Ｘ装備自動車が、セルラーネットワークから受信されるＰＷＳ情報をＶ２Ｘ装備自動車の近傍の他の自動車に中継または再ブロードキャストすることを可能にしない。
【００５１】
ＶＩＩ．セルラーネットワークから受信されるＰＷＳ情報の中継
【００５２】
本明細書に開示される実施形態は、既存のＶ２Ｘアプリケーションに関して上記に議論される限界に対処する。ある実施形態では、ＵＥは、ネットワークノードからＰＷＳメッセージを受信するように構成される。ＰＷＳメッセージを受信することに応じて、ＵＥは、ＰＷＳメッセージと関連付けられるポリシに従って、任意のルールが適用されるかどうかを決定してもよい。ＵＥは、次いで、ポリシに従って、ＰＷＳメッセージを遠隔ＵＥに中継してもよい。ＰＷＳメッセージが一次ＰＷＳ通知を含む場合、ＵＥは、一次ＰＷＳ通知と関連付けられる二次ＰＷＳ通知を受信することに応じて、前述のプロシージャを繰り返してもよい。
【００５３】
上記に言及されるプロシージャと関連付けられるステップは、図３の例示的フロー図３００に絵的に表される。ブロック３０２において、ネットワークノード３１０（限定ではないが、ＮｏｄｅＢ、ｅＮＢ、ＢＴＳ、ＢＳＣ、ＲＮＣ、アクセスポイント、またはそれらの任意の組み合わせ等）が、ＰＷＳ情報を含有するＰＷＳメッセージを送信する。ＰＷＳ情報は、ＳＩＢ、ページングメッセージ、ＣＢＭ、本明細書の残りにブロードキャストメッセージとしてさらに言及されているこれらのうちのいずれか、またはそれらの組み合わせ内に含有されてもよい。ブロック３０４において、ＰＷＳメッセージは、限定ではないが、ユーザ機器（ＵＥ）、移動局、リレーＵＥ、ＲＳＵ、ネットワークノード（例えば、ネットワークノード３１０と類似する）等の通信することが可能な任意の好適なデバイスを含み得る、通信デバイス３２０によって受信される。
【００５４】
ある実施形態では、ＵＥ３２０は、２つ以上の異なる技術を使用して通信するように構成されてもよい。例えば、ＵＥ３２０は、限定ではないが、モバイル／セルラー（例えば、ＣＤＭＡ２０００、ＧＳＭ（登録商標）／ＧＰＲＳ／ＥＤＧＥ、ＵＭＴＳ／ＵＴＲＡ、ＬＴＥ／Ｅ−ＵＴＲＡ等）等のセルラー技術またはＮＲ等の新世代無線アクセス技術を使用して電気通信ネットワークと通信するように構成されてもよい。ＣＤＭＡ２０００、ＧＳＭ（登録商標）／ＧＰＲＳ／ＥＤＧＥ、ＵＭＴＳ／ＵＴＲＡ、およびＬＴＥ／Ｅ−ＵＴＲＡ等のモバイルセルラー技術は、代替として、対応するＲＡＮタイプ、例えば、それぞれ、ＣＤＭＡ２０００  ＲＡＮ、ＧＥＲＡＮ、ＵＴＲＡＮ、Ｅ−ＵＴＲＡＮ、または新世代ＲＡＮによって指定されてもよい。これらのモバイルセルラー技術は、時として、「２Ｇ」（第２世代）モバイルセルラー技術、「３Ｇ」（第３世代）モバイルセルラー技術、「４Ｇ」（第４世代）モバイルセルラー技術、「５Ｇ」（第５世代）モバイルセルラー技術等の技術世代番号によって指定されてもよい。ＵＥ３２０はまた、限定ではないが、ＰＣ５／サイドリンク、Ｄ２Ｄ、Ｖ２Ｘ、Ｗｉ−Ｆｉ（Ｒ）／ＷＬＡＮ（例えば、ＩＥＥＥ  ８０２．１１ベースの技術）、Ｂｌｕｅｔｏｏｔｈ（登録商標）、近距離無線通信（ＮＦＣ）、ＷｉＭＡＸ、無線充電器、イーサネット（登録商標）、ケーブルモデム、デジタル加入者回線（ＤＳＬ）、ファイバ、ユニバーサルシリアルバス（ＵＳＢ）、および無線等の代替技術を使用して他のＵＥと通信するように構成されてもよい。
【００５５】
ＰＷＳメッセージを受信することに続けてさらなるアクションをとることに先立って、ＵＥ３２０は、任意の制限がＰＷＳメッセージを取り扱うことに関して適用されるかどうかを決定するために、ポリシを参照してもよい。例えば、ポリシは、以下のルール、すなわち、（ａ）ＵＥは、あるインターフェース（例えば、ＰＣ５インターフェース、技術、技術内の帯域、またはＤ２Ｄ通信をサポートする他の好適なインターフェース）を経由してのみＰＷＳメッセージを中継することを可能にされる、（ｂ）ＵＥは、これがあるタイプのブロードキャストメッセージ（例えば、アンバーアラート、大統領アラート、地震アラート、津波アラート等）である場合のみ、ＰＷＳメッセージを中継することを可能にされる、または（ｃ）ＵＥは、ＰＷＳが受信された技術に基づいて、ＰＷＳメッセージの一部を中継するべきである、のうちの１つ以上のものを規定し得る。いくつかの実装では、これらのルールのうちの１つ以上のものは、随意であってもよい。
【００５６】
動作３０６において、ＵＥ３２０は、上記に議論されるルールに従ってＰＷＳメッセージを中継する（例えば、伝送またはブロードキャストする）。動作３０８において、ＵＥ３２０によって中継されるＰＷＳメッセージは、ＵＥ３２０と通信するために、セルラー接続を利用しない場合がある、遠隔ＵＥ３３０によって受信される。いくつかの側面では、ＵＥ３２０は、宛先レイヤ２  ＩＤを含有する構成情報を提供されてもよく、これは、ＳＩＭカードを介して、ＵＩＣＣ上のアプリケーションを介して、ネットワークインターフェースを介して、または任意の他の適切な手段を介して、内部でＵＥ３２０にプロビジョニングされてもよい。ＵＥ３２０は、次いで、構成情報に従って、ブロック３０４において受信されたＰＷＳメッセージ（または、例えば、現在公知か、または後に開発されるかのいずれかの他の好適なタイプの警報メッセージ）に本宛先レイヤ２  ＩＤを関連付け、動作３０６において、それに応じて本ＰＷＳメッセージを中継してもよい。ブロック３０２において送信されたＰＷＳメッセージが一次ＰＷＳ通知を含む場合、フロー図３００は、ネットワークノード３１０が一次ＰＷＳ通知と関連付けられる二次ＰＷＳ通知を含有する、別のＰＷＳメッセージを送信することに応じて、繰り返されてもよい。いくつかの実施形態では、二次ＰＷＳ通知は、一次ＰＷＳ通知において識別される緊急事態の場所を説明する情報、一次ＰＷＳ通知において識別される緊急事態の深刻度を説明する情報、一次ＰＷＳ通知において識別される緊急事態に関する更新等の説明テキストコンポーネントを含んでもよい。
【００５７】
以下の議論は、図３に関して上記に説明される実施形態に関する付加的詳細を提供する。明確化の目的のために、本明細書に開示される実施形態のうちのいずれか１つは、本開示の範囲内の新しい実施形態を作成するために、本明細書に開示される他の実施形態のうちのいずれか１つ以上のものと組み合わせられ得ることを理解されたい。また、以下の議論は、電動車両を伴う実施形態に焦点を当て得るが、開示される実施形態は、同様に、ネットワークと通信することが可能な任意のデバイス、例えば、モバイルフォン、スマートウォッチ、およびウェアラブル、および冷蔵庫、洗浄機および乾燥機、オーブン、レンジ、加熱および冷却システム、コーヒーメーカ、アラームシステム、洗濯機、食器洗浄機等のスマート電化製品に適用可能であることを理解されたい。
【００５８】
ＶＩＩＩ．具体的ＰＷＳメッセージサービスとしての近距離技術を経由するセルラーネットワーク上に受信されるＰＷＳ情報の中継
【００５９】
図４は、本開示のある実施形態による、ＰＷＳ情報を中継するための例示的フロー図４００を描写する。動作４０２において、ネットワークノード３１０は、ＧＥＲＡＮ、ＵＴＲＡＮ、Ｅ−ＵＴＲＡＮ、新世代ＲＡＮ等の第１の電気通信技術ネットワークタイプを経由して、ＰＷＳ通知を含むブロードキャストメッセージをリレーＵＥ３２０に送信する。いくつかの実装では、ブロードキャストメッセージは、以下、すなわち、警報タイプ情報要素（ＩＥ）、３ＧＰＰ  ＴＳ  ３６．３３１において定義されるもの等の警報メッセージセグメントＩＥ、１つ以上の他のＩＥ、またはそれらの任意の組み合わせのいずれかにおけるＰＷＳ通知情報を伝達してもよい。いくつかの実装では、動作４０２において送信されるブロードキャストメッセージは、限定ではないが、ＫＰＡＳまたはＥＵ−ＡＬＥＲＴ等の他のアラートシステムから通知を伝達してもよい。
【００６０】
いくつかの実装では、リレーＵＥ３２０は、リレーＵＥ３２０が警報メッセージまたはそれらのコンテンツの一部または全てを受信および／または中継することを可能にされるかどうかを決定するように構成されてもよい。例えば、リレーＵＥ３２０は、存在する場合、リレーＵＥ３２０が警報メッセージに関して実施し得るアクションの内容を決定するために、リレーＵＥ３２０によって使用される構成情報を含むポリシを用いてプロビジョニングされてもよい。そのような構成情報５００の非限定的実施例が、図５に描写される。他の側面では、構成情報５００は、付加的および／または代替アクセス条件、データアイテム、コーディング等を含んでもよい。
【００６１】
構成情報５００は、ＰＷＳメッセージに関して利用可能であるサービスを示す基礎ファイル（ＥＦ）５１０を含んでもよい。ＥＦ５１０は、ファイル識別子（例えば、「６Ｆｘｘ」）、ＥＦの構造を説明する、構造フィールド（例えば、トランスペアレント、循環、線形固定、または線形可変）、ステータスフィールド（例えば、随意（Ｏ）、必須（Ｍ）、または条件付き（Ｃ））、ＥＦのサイズを示すファイルサイズフィールド、更新アクティビティフィールド（例えば、低または高）等の複数のフィールドを備える。ＥＦ５１０はさらに、ＲＥＡＤ、ＵＰＤＡＴＥ、ＡＣＴＩＶＡＴＥ、およびＤＥＡＣＴＩＶＡＴＥ等のアクセス条件のセットを備える。
【００６２】
リレーＵＥ３２０が（例えば、構成情報５００に基づいて）警報情報を受信および／または中継することを可能にされると決定される場合、リレーＵＥ３２０は、ＰＷＳ通知または同等物を含有するブロードキャストメッセージの受信を助長するための特徴をアクティブ化してもよい。いくつかの実装では、リレーＵＥ３２０は、デフォルトでそのようなメッセージを受信および送信するように構成されてもよい。議論の目的のために、リレーＵＥ３２０が、そのように可能にされる／構成され、したがって、ネットワークノード３１０によって送信されるブロードキャストメッセージが、動作４０２においてリレーＵＥ３２０によって受信されると仮定され得る。
【００６３】
ブロードキャストメッセージを受信することに応じて、リレーＵＥ３２０は、リレーＵＥ３２０がブロードキャストメッセージのコンテンツにアクセスすることを可能にされるかどうかを決定するために、構成情報５００を参照してもよい。構成情報５００はさらに、１以上のバイトのコーディング情報５２０を含んでもよく、第１のバイトにおける１以上のビットは、ブロードキャストメッセージが中継され得るかどうかを決定するために使用されてもよい。
【００６４】
例えば、リレーＵＥ３２０は、それぞれ、第１のビット「ｂ１」が「０」または「１」のいずれかに設定される場合、これがホームＰＬＭＮ（ＨＰＬＭＮ）および同等のＰＬＭＮにおいて受信する全てのＰＷＳメッセージを中継するかまたは無視するかのいずれかであるように構成されてもよい。同様に、リレーＵＥ３２０は、それぞれ、第２のビット「ｂ２」が「０」または「１」のいずれかに設定される場合、これが訪問されたＰＬＭＮ（ＶＰＬＭＮ）において受信する全てのＰＷＳメッセージを中継するかまたは無視するかのいずれかであるように構成されてもよい。他の側面では、コーディング情報５２０は、付加的および／または代替ビットを含んでもよい。リレーＵＥ３２０が、ＨＰＬＭＮ（例えば、「ｂ１」＝「１」）またはＶＰＬＭＮ（例えば、「ｂ２」＝「１」）における全てのＰＷＳメッセージを無視するように構成される場合、リレーＵＥ３２０は、単純に、警報メッセージの受信を実施せず、その場合では、ブロードキャストメッセージは、動作４０２において受信されない。
【００６５】
前述で言及されるように、各ＰＷＳメッセージは、異なるＰＷＳメッセージを区別するために使用されるシリアル番号を有してもよい。各ＰＷＳメッセージはまた、ＰＷＳメッセージの送信元を識別するメッセージ識別子を有してもよい。したがって、ＰＷＳ通知を含むブロードキャストメッセージを受信することに応じて、リレーＵＥ３２０は、リレーＵＥ３２０が複数回にわたってＰＷＳ通知を受信しているかどうかを決定するために、そのような情報を使用してもよい。該当する場合、リレーＵＥ３２０は、ＰＷＳ通知を静かに破棄してもよい。いくつかの実施形態では、動作４０２において受信されるブロードキャストメッセージは、ＰＷＳ通知が特定のタイプの警報メッセージであることを示すパラメータを含んでもよい。
【００６６】
例えば、ネットワークノード３１０からのブロードキャストメッセージがＥＴＷＳ  ＩＥにおいてＰＷＳ通知を伝達すると仮定すると、ブロードキャストメッセージは、ＰＷＳ通知が地震、津波、試験目的のために送信される試験等に対応することを示す警報タイプパラメータを含んでもよい。警報タイプパラメータが、ＰＷＳ通知が試験であることを示す場合、リレーＵＥ３２０は、ＰＷＳ通知を静かに破棄するように構成されてもよい。そうでなければ、リレーＵＥ３２０は、ブロック４０４に進み、第１のＰＷＳ出力メッセージを生成してもよく、これは、それを経由してブロードキャストメッセージが動作４０２において受信されたものと異なる通信技術を経由してＰＷＳ通知を中継する（動作４０６において）ために使用されてもよい。
【００６７】
いくつかの実施形態では、ブロック４０４において生成されるＰＷＳ出力メッセージのコンテンツは、ＰＷＳ通知が動作４０２において受信されるブロードキャストメッセージにおいて伝達された様式に依存してもよい。例えば、ＰＷＳ通知が上記に議論されるようにＥＴＷＳ  ＩＥにおいて伝達されると仮定すると、リレーＵＥ３２０は、ＥＴＷＳ  ＩＥ内に含有される１つ以上のパラメータを含むように、ＰＷＳ出力メッセージをフォーマットしてもよい。いくつかの実装では、リレーＵＥ３２０は、随意の「再ブロードキャストインジケーション」パラメータ（例えば、再ブロードキャストフラグ）を含むように、ＰＷＳ出力メッセージをフォーマットしてもよい。
【００６８】
図６は、ブロック４０４において生成されるＰＷＳ出力メッセージのコンテンツを含む、データ構造６００の１つの可能性として考えられる実装を描写する。「警報タイプ」６０５および「シリアル番号」６１５パラメータは、ＥＴＷＳ  ＩＥにおいて受信されるようなものであり得る。ＰＷＳメッセージがＥＴＷＳ一次通知に対応する場合、データ構造６００は、ＥＴＷＳ一次通知メッセージの送信元を識別する「メッセージ識別子」６１０を含んでもよい。他の実装では、ＰＷＳ出力メッセージのコンテンツは、拡張マークアップ言語（ＸＭＬ）データ構造内に含まれてもよい。
【００６９】
いくつかの実施形態では、図６のデータ構造６００は、それを経由してリレーＵＥ３２０が動作４０２においてブロードキャストメッセージを受信する、無線アクセス技術（ＲＡＴ）のタイプに応じて修正されてもよい。例えば、図７は、ブロードキャストメッセージがＧＥＲＡＮを経由して動作４０２において受信される場合、それに対してデータ構造６００が修正され得る、データ構造７００の１つの可能性として考えられる実装を描写し、図８は、ブロードキャストメッセージがＵＴＲＡＮを経由して動作４０２において受信される場合、それに対してデータ構造６００が修正され得る、データ構造８００の１つの可能性として考えられる実装を描写し、図９は、ブロードキャストメッセージがＥ−ＵＴＲＡＮまたは新世代ＲＡＮを経由して動作４０２において受信される場合、それに対してデータ構造６００が修正され得る、データ構造９００の１つの可能性として考えられる実装を描写する。他の実装では、データ構造６００は、任意の好適な電気通信技術に従って修正されてもよい。
【００７０】
動作４０６において、リレーＵＥ３２０は、ＰＣ５インターフェースを経由してＰＷＳ通知を含有するＰＷＳ出力メッセージを送信してもよい。しかしながら、他の実施例では、ＰＷＳメッセージは、近距離通信技術（例えば、専用狭域通信（ＤＳＲＣ）、ＩＥＥＥ  ８０２．１１ｐ、Ｂｌｕｅｔｏｏｔｈ（登録商標）、ＷＬＡＮ等）のために設計されるインターフェース等の他の好適なインターフェースを経由して送信され得ることを理解されたい。動作４０８において、遠隔ＵＥ３３０は、例えば、ＰＣ５インターフェースを経由してＰＷＳメッセージを受信する。
【００７１】
いくつかの実施形態では、リレーＵＥ３２０は、二次通知が利用可能であるかどうかを決定するように構成されてもよい。例えば、動作４０２においてオリジナルブロードキャストメッセージによって伝達されるＰＷＳ通知が、ＥＴＷＳ一次通知に対応する場合、ネットワークノード３１０は、動作４１０において、ＥＴＷＳ一次通知に関連するＥＷＴＳ二次通知を含有する第２のブロードキャストメッセージをリレーＵＥ３２０に送信してもよい。他の実施例では、動作４１０において送信されるブロードキャストメッセージは、ＥＷＴＳ二次通知と異なるタイプのＰＷＳ通知を含有してもよい。
【００７２】
リレーＵＥ３２０は、第１の電気通信技術を経由してＰＷＳ通知を含有する第２のブロードキャストメッセージを受信してもよい。例えば、第１の電気通信技術ネットワークタイプがＧＥＲＡＮまたはＵＴＲＡＮを含む場合、リレーＵＥ３２０は、ＣＢＭを介してＰＷＳ通知を受信してもよい。代替として、第１の電気通信技術ネットワークタイプがＥ−ＵＴＲＡＮを含む場合、リレーＵＥ３２０は、ＳＩＢ（例えば、ＳＩＢ１１）を介してＰＷＳ通知を受信してもよい。
【００７３】
ブロック４１２において、リレーＵＥ３２０は、動作４１０において受信されるＰＷＳ通知を含有する第２の出力ＰＷＳメッセージを生成してもよい。第２のＰＷＳ出力メッセージは、データ構造６００と類似するデータ構造を備えてもよい。第１のＰＷＳ出力メッセージのように、第２のＰＷＳ出力メッセージのデータ構造は、例えば、データ構造７００、８００、および９００に従って、それを経由してブロードキャストメッセージが動作４１０において受信された第１の電気通信技術に基づいて修正されてもよい。加えて、または代替として、第２のＰＷＳメッセージのデータ構造は、ブロードキャストメッセージ自体のコンテンツに基づいて修正されてもよい。
【００７４】
第１のＰＷＳ出力メッセージのように、リレーＵＥ３２０は、それを経由してブロードキャストメッセージが受信された第１の電気通信技術に基づいて、第２のＰＷＳ出力メッセージのデータ構造をフォーマットしてもよい。したがって、ブロードキャストメッセージがＧＥＲＡＮを経由して受信される場合、リレーＵＥ３２０は、データ構造７００に従って第２のＰＷＳ出力メッセージのデータ構造をフォーマットしてもよい。ある実施形態では、リレーＵＥ３２０は、動作４１０において受信されるブロードキャストメッセージ内の「メッセージ識別子」６１０を検証することに基づいて、第２のＰＷＳ出力メッセージのデータ構造を修正するように構成されてもよい。
【００７５】
例えば、第２のＰＷＳ出力メッセージのデータ構造は、（ｉ）受信されたＰＷＳメッセージ識別子６１０が値の第１のセット（例えば、「１１００Ｈｅｘ」および「１１０７Ｈｅｘ」）において構成される場合、リレーＵＥ３２０が、図７の「データコーディングスキーム」パラメータ７１５を所定の値（例えば、「１０１」）に設定し、ＰＷＳ出力メッセージ内に「シリアル番号」７０５から先へ受信されたブロードキャストメッセージのコンテンツ（例えば、図７に示されるように、シリアル番号７０５、メッセージ識別子７１０、データコーディングスキーム７１５、ページパラメータ７２０、およびメッセージのコンテンツ７２５）を含み得、（ｉｉ）受信されたＰＷＳメッセージ識別子６１０が値の第２のセット（例えば、「１１１２（Ｈｅｘ）」および「１１２Ｂ（Ｈｅｘ）」）において構成される場合、リレーＵＥ３２０が、「データコーディングスキーム」パラメータ７１５を別の所定の値（例えば、「１０２」）に設定し、（例えば、図７に示されるように）ＰＷＳ出力メッセージ内に「シリアル番号」７０５から先へ受信されたブロードキャストメッセージのコンテンツを含み得るように、修正されてもよい。
【００７６】
ブロードキャストメッセージがＵＴＲＡＮを経由して動作４１０において受信される場合、リレーＵＥ３２０は、データ構造８００に従って第２のＰＷＳ出力メッセージのデータ構造をフォーマットしてもよい。ある実施形態では、リレーＵＥ３２０は、動作４１０において受信されるブロードキャストメッセージ内の「メッセージ識別子」６１０に基づいて、第２のＰＷＳ出力メッセージのデータ構造を修正してもよい。例えば、第２のＰＷＳ出力メッセージのデータ構造は、（ｉ）受信されたＰＷＳメッセージ識別子６１０が値の第１のセット（例えば、「１１００（Ｈｅｘ）」および「１１２Ｂ（Ｈｅｘ）」）において構成される場合、リレーＵＥ３２０が、図８の「データコーディングスキーム」パラメータ８２０を所定の値（例えば、「１０３」）に設定し、ＰＷＳ出力メッセージ内に「メッセージタイプ」８０５から先へ受信されたブロードキャストメッセージのコンテンツ（例えば、図８に示されるように、メッセージタイプ８０５、メッセージ識別子８１０、シリアル番号８１５、データコーディングスキーム８２０、およびセルブロードキャスト（ＣＢ）データ８２５）を含み得るように修正されてもよい。
【００７７】
ブロードキャストメッセージがＥ−ＵＴＲＡＮを経由して動作４１０において受信される場合、リレーＵＥ３２０は、データ構造９００に従って第２のＰＷＳ出力メッセージのデータ構造をフォーマットしてもよい。ある実施形態では、リレーＵＥ３２０は、動作４１０において受信されるブロードキャストメッセージ内の「メッセージ識別子」６１０に基づいて、第２のＰＷＳ出力メッセージのデータ構造を修正してもよい。例えば、第２のＰＷＳ出力メッセージのデータ構造は、（ｉ）受信されたＰＷＳメッセージ識別子が値の第１のセット（例えば、「１１００（Ｈｅｘ）」および「１１０７（Ｈｅｘ）」）において構成される場合、リレーＵＥ３２０が、図９の「データコーディングスキーム」パラメータ９２０を所定の値（例えば、「１０４」）に設定し、ＰＷＳ出力メッセージ内に「メッセージ識別子」９０５から先へ受信されたブロードキャストメッセージのコンテンツ（例えば、図９に示されるように、メッセージ識別子９０５、シリアル番号９１０、ＣＢデータ９１５、およびデータコーディングスキーム９２０）を含み得、（ｉｉ）受信されたＰＷＳメッセージ識別子が値の第２のセット（例えば、「１１１２（Ｈｅｘ）」および「１１２Ｂ（Ｈｅｘ）」）において構成される場合、リレーＵＥ３２０が、「データコーディングスキーム」パラメータ９２０を別の所定の値（例えば、「１０５」）に設定し、（例えば、図９に示されるように）ＰＷＳ出力メッセージ内に「メッセージ識別子」９０５から先へ受信されたブロードキャストメッセージのコンテンツを含み得るように、修正されてもよい。
【００７８】
加えて、または代替として、リレーＵＥ３２０は、動作４１０において受信されるブロードキャストメッセージ内に含有される「シリアル番号」パラメータ６１５に基づいて、第２のＰＷＳ出力メッセージのデータ構造を修正してもよい。例えば、「シリアル番号」パラメータ６１５の地理的範囲が、ＰＷＳメッセージの地理的エリアがＰＬＭＮ全体であることを示す場合、リレーＵＥ３２０は、第２のＰＷＳ出力メッセージのデータ構造内の「再ブロードキャスト」パラメータを「真」に設定してもよい。いくつかの実装では、「再ブロードキャスト」パラメータを「真」に設定することは、ＰＷＳメッセージが地理的エリアにかかわらずに再ブロードキャストされ得ることを意味するように推測されてもよい。
【００７９】
いくつかの実施形態では、「シリアル番号」パラメータ６１５の地理的範囲は、ＰＷＳメッセージの地理的エリアが一意のエリアに特有であることを示してもよい。そのような場合では、リレーＵＥ３２０は、ＰＷＳメッセージがある地理的エリア内でのみ適用可能であることを示すように第２のＰＷＳ出力メッセージのデータ構造を修正してもよい。
【００８０】
第２のＰＷＳ出力メッセージのデータ構造を決定することに応じて、リレーＵＥ３２０は、動作４１４に示されるように、ＰＣ５インターフェースを経由してＰＷＳ通知を含有する第２のＰＷＳ出力メッセージを送信することに進んでもよい。他の実装では、第２のＰＷＳ出力メッセージは、動作４０６において送信される第１のＰＷＳ出力メッセージに関して前述で言及されたもの等の任意の好適なインターフェースを経由して送信されてもよい。
【００８１】
動作４１６において、遠隔ＵＥ３３０は、上記に説明されるようなエンコーディングを含有する第２のＰＷＳ出力メッセージを受信する。ある実施形態では、遠隔ＵＥ３３０は、続けて、遠隔ＵＥ３３０のユーザに第２のＰＷＳ出力メッセージを通知するために、画面上に通知を表示する、および／または可聴アラートを生成してもよい。加えて、または代替として、遠隔ＵＥ３３０は、第２のＰＷＳ出力メッセージ内で受信されたデータを再ブロードキャストしてもよい。例えば、第２のＰＷＳ出力メッセージが「真」に設定された再ブロードキャストフラグを含有する場合、遠隔ＵＥ３３０は、後続ＰＣ５メッセージ内でデータを再ブロードキャストしてもよい。しかしながら、遠隔ＵＥ３３０は、後続ＰＣ５メッセージ内の再ブロードキャストフラグを「偽」に設定してもよい。
【００８２】
ある実施形態では、リレーＵＥ３２０は、リレーＵＥ３２０がネットワークノード３１０から警報メッセージ（例えば、一次または二次ＰＷＳ通知を含有するブロードキャストメッセージ）を受信する度に、上記に説明される機能性を実施し続けるように構成されてもよい。
【００８３】
いくつかの実施形態では、リレーＵＥ３２０（またはその機能）は、ネットワークノード３１０と組み合わせられてもよい。そのような実施形態では、フロー図４００のブロックまたは動作の合計数は、そうでなければリレーＵＥ３２０によって実施されるであろういかなるタスクも、ＰＣ５インターフェース（または他の好適なインターフェース）を経由して遠隔ＵＥ３３０と直接通信し得る、ネットワークノード３１０によって実施され得るため、低減されてもよい。
【００８４】
ある実施形態では、リレーＵＥ３２０は、ＰＣ５インターフェースを経由して送信されたメッセージ（例えば、動作４０６および４１４における第１および第２のＰＷＳメッセージ）がＰＷＳメッセージを含有するというインジケーションを提供するように構成されてもよい。例えば、そのようなインジケーションは、ＰＷＳサービスに（または派生技術に）割り当てられ得る具体的ＩＴＳアプリケーション識別子（ＩＴＳ−ＡＩＤ）を使用して提供されてもよい。図１０は、下線付きテキストによって表されるもの等、ＰＷＳメッセージがＩＴＳ−ＡＩＤを使用して示され得る方法の１つの可能性として考えられる実装を描写する。
【００８５】
別の実施例として、リレーＵＥ３２０は、Ｖ２Ｘサイドリンクインターフェースを経由してＰＷＳアプリケーションに割り当てられ得る宛先レイヤ２  ＩＤを使用して、ＰＣ５インターフェースを経由して送信されたメッセージがＰＷＳメッセージを含有するというインジケーションを提供してもよい。本実施例では、ＰＷＳデータを含有する部分は、Ｖ２Ｘ情報としてＰＳＳＣＨを経由して伝送され、対応するＰＷＳメッセージを含有してもよい。レイヤ２  ＩＤは、（例えば、ＯＭＡデータ管理（ＤＭ）を介して）ＭＥの内部メモリ内に構成される、またはＵＥ（例えば、リレーＵＥ３２０および遠隔ＵＥ３３０）のＵＩＣＣ／ＵＳＩＭ／ＩＳＩＭ上に記憶されてもよい。図１１は、宛先レイヤ２  ＩＤがＰＷＳメッセージを示すために使用され得る方法を示す、構成情報１１００の１つの可能性として考えられる実装を描写する。本実施形態では、ＭＥは、ＥＦＲｅｌａｙＰＷＳＬａｙｅｒ２ｉｄを読み取り、ＰＷＳメッセージのために使用されるレイヤ２  ＩＤを決定する。リレーＵＥ３２０は、図４に示される動作４０６および４１４において本レイヤ２  ＩＤを使用してもよい。遠隔ＵＥ３３０は、内部メモリ（例えば、図１７のランダムアクセスメモリ（ＲＡＭ）３２２６、フラッシュメモリ３２２４、またはＳＩＭ／ＲＵＩＭインターフェース３２４４）内に記憶されるようなＵＩＣＣからＥＦＲｅｌａｙＰＷＳＬａｙｅｒ２ｉｄを読み取るであろう。ＰＣ５を経由するメッセージの受信、例えば、図４の動作４０８および４１６に応じて、遠隔ＵＥ３３０は、レイヤ２  ＩＤを読み取り、これがＭＥメモリ（例えば、ＲＡＭ３２２６、フラッシュメモリ３２２４、またはＳＩＭ／ＲＵＩＭインターフェース３２４４）内に記憶されるレイヤ２  ＩＤに合致する場合、ＭＥは、これがＰＷＳメッセージを受信したことを把握する。
【００８６】
ある実施形態では、ＰＷＳメッセージ識別子は、ＩＴＳ  ＰＤＵヘッダの一部として伝達され得る具体的メッセージタイプとして定義されてもよい。図１２は、ＰＷＳメッセージ識別子が、ＥＴＳＩ  ＴＳ  １０２  ８９４−２  Ｖ１．２．１（２０１４−０９）（参照することによって本明細書に組み込まれる）のＡｎｎｅｘ「Ａ．１１４  ＤＦ＿ＩｔｓＰｄｕＨｅａｄｅｒ」によって規定されるＩＴＳ  ＰＤＵヘッダの一部として伝達される具体的メッセージタイプとして定義され得、変更が下線付きテキストによって表される、１つの可能性として考えられる実装を描写する。このように、ＰＷＳメッセージは、所与のインターフェース上で異なるまたは他のＩＴＳ／Ｖ２Ｘメッセージと共存し得るだけではなく、また、異なるサービスの一部として並行して使用されてもよい（例えば、ＰＷＳは、分散環境通知（ＤＥＮ）サービスのコンポーネントとして受信されてもよい）。
【００８７】
ある実施形態では、異なるＰＷＳメッセージサブカテゴリが（例えば、それを経由してＰＷＳメッセージが発信する第１のセルラー技術に従って）規定または定義される場合、アプリケーション層インジケータが、提供されてもよい。例えば、アプリケーション層インジケータは、第１の（ソース）セルラー技術ネットワークタイプ（例えば、ＧＥＲＡＮ、ＵＴＲＡＮ、Ｅ−ＵＴＲＡＮ等）を識別するコードポイントまたは値を含有するバイトの形態をとってもよい。図１３は、ＥＴＳＩ  ＴＳ  １０２  ８９４−２  Ｖ１．２．１がＰＷＳメッセージ（例えば、図４の動作４０２および４１０において受信されるもの等）のソース技術を識別するためにエンコーディングを含むように拡張され得る、１つの可能性として考えられる実装を描写する。例えば、第１のフィールドは、第１のセルラー技術を識別するインジケータを搬送してもよく、第２のフィールドは、インジケータによって識別されたその第１のセルラー技術に従ってエンコードされたＰＷＳメッセージを搬送してもよい。実施例では、ＰＷＳメッセージがＧＥＲＡＮを経由してＲＳＵによって受信された場合、ＰＣ５を経由して送信されたときのそのメッセージは、以下のエンコーディング、すなわち、値１を有するソース技術（ＧＥＲＡＮ）および図７（ＧＥＲＡＮ）に従ってコード化されたＰＷＳメッセージを含有するＰＷＳメッセージをもたらすであろう。
【００８８】
ある実施形態では、リソースプールは、組み合わせられたＶ２Ｘサービスのために使用される一般的プールまたはＰＷＳサービス専用のプールを備えてもよい。さらに、プール構成（例えば、リソースサイズおよび周期性）および伝送パラメータは、ＰＷＳ仕様に従って適合されてもよい。
【００８９】
ＶＩＩＩ．既存のＶ２Ｘサービス内での近距離技術を経由するセルラーネットワーク上に受信されるＰＷＳ情報の中継
【００９０】
図１４は、本開示の別の実施形態による、ＰＷＳ情報を中継するためのフロー図１４００を描写する。動作１４０２において、ネットワークノード３１０は、図４の動作４０２において送信されるブロードキャストメッセージと同様に、ＧＥＲＡＮ、ＵＴＲＡＮ、Ｅ−ＵＴＲＡＮ等の第１の電気通信技術ネットワークタイプを経由してＰＷＳ通知を含む第１のブロードキャストメッセージをリレーＵＥ３２０に送信する。いくつかの実装では、ブロードキャストメッセージは、限定ではないが、ＫＰＡＳまたはＥＵ−ＡＬＥＲＴ等の他のアラートシステムから通知を伝達してもよい。
【００９１】
さらに、リレーＵＥ３２０は、図４に関して上記に説明されるものと類似する様式で構成情報５００を利用してもよい。そのような構成情報５００に基づいて、リレーＵＥ３２０は、これが動作１４０２において送信された警報情報を受信および／または中継することを可能にされると決定してもよい。リレーＵＥ３２０はまた、図４に関して上記に説明されるものと類似する条件下で（例えば、ＰＷＳメッセージが複数回にわたって受信されるとき、ＰＷＳメッセージが試験に対応するとき、ＰＷＳメッセージが無視されるべきであるとき等）、ＰＷＳメッセージを無視してもよい。
【００９２】
ブロック１４０４において、リレーＵＥ３２０は、それを経由してブロードキャストメッセージが動作１４０２において受信されたものと異なる通信技術を経由してＰＷＳ通知を中継するために使用され得る、第１の出力ＰＷＳメッセージを生成してもよい。一実装では、ブロック１４０４において生成される第１のＰＷＳ出力メッセージは、図４のブロック４０４において生成されるＰＷＳメッセージと実質的に類似してもよく、すなわち、ＰＷＳメッセージは、「警報タイプ」パラメータ６０５、「シリアル番号」パラメータ６１５、および随意の「再ブロードキャストインジケーション」パラメータ（図示せず）を含んでもよい。加えて、または代替として、ブロック１４０４において生成される第１のＰＷＳ出力メッセージは、少なくとも部分的に、動作１４０２において受信されるブロードキャストメッセージ内に含有される「メッセージ識別子」６１０に応じてフォーマットされてもよい。
【００９３】
別の実装では、第１のＰＷＳ出力メッセージは、ブロック１４０４において生成されてもよく、コンテンツは、ＥＴＷＳ  ＩＥ（例えば、受信される場合）を含有し、「データコーディングスキーム」パラメータは、それを経由してブロードキャストメッセージが動作１４０２において受信された第１の通信技術に応じて、ある値に設定される。例えば、ブロードキャストメッセージがＧＥＲＡＮを経由して動作１４０２において受信された場合、リレーＵＥ３２０は、図７の「データコーディングスキーム」パラメータ７１５を第１の値（例えば、「１０２」）に設定してもよく、ブロードキャストメッセージがＵＴＲＡＮを経由して動作１４０２において受信された場合、リレーＵＥ３２０は、図８の「データコーディングスキーム」パラメータ８２０を第２の値（例えば、「１０３」）に設定してもよく、ブロードキャストメッセージがＥ−ＵＴＲＡＮを経由して動作１４０２において受信された場合、リレーＵＥ３２０は、図９の「データコーディングスキーム」パラメータ９２０を第３の値（例えば、「１０５」）に設定してもよい。
【００９４】
図１５は、ブロック１４０４において生成される第１のＰＷＳ出力メッセージのコンテンツを含む、データ構造１５００の１つの可能性として考えられる実装を描写する。データ構造１５００は、ＥＴＳＩ  ＴＳ  １０２  ６３７−３  Ｖ１．１．１（２０１０−０９）によって定義されるＤＥＮＭフォーマットに対応し、本明細書に提案される変更は、下線付きテキストによって表される。動作１４０６において、リレーＵＥ３２０は、第１のＰＷＳ出力メッセージを伝送し、これは、次いで、遠隔ＵＥ３３０によって受信され、ＰＷＳメッセージは、それを経由してブロードキャストメッセージが動作１４０２において受信されたものと異なる通信技術を経由してＤＥＮＭとして伝送される。ある実施形態では、それを経由してＤＥＮＭが伝送される異なる通信技術は、Ｖ２Ｘ伝送技術を含む。
【００９５】
前述で議論されるように、リレーＵＥ３２０は、第２の警報メッセージが動作１４０６においてＰＷＳメッセージを伝送した後に利用可能であるかどうかを決定するように構成されてもよい。動作１４０８において、例えば、ネットワークノード３１０は、ＰＷＳ通知（例えば、動作１４０２においてブロードキャストメッセージ内で受信されるＰＷＳ通知に関連する二次通知または新しい警報通知）を含有する第２のブロードキャストメッセージをリレーＵＥ３２０に送信してもよい。第１の電気通信技術ネットワークタイプがＧＥＲＡＮまたはＵＴＲＡＮを含む場合、リレーＵＥ３２０は、ＣＢＭを介してＰＷＳ通知を受信してもよい。代替として、第１の電気通信技術ネットワークタイプがＥ−ＵＴＲＡＮを含む場合、リレーＵＥ３２０は、ＳＩＢ（例えば、ＳＩＢ１１）を介してＰＷＳ通知を受信してもよい。
【００９６】
ブロック１４１０において、リレーＵＥ３２０は、動作１４０８において受信されるＰＷＳ通知を含有する第２のＰＷＳ出力メッセージを生成してもよい。第２のＰＷＳ出力メッセージは、データ構造６００と類似するデータ構造を備えてもよく、データ構造は、例えば、データ構造７００、８００、および９００に従って、それを経由してブロードキャストメッセージが動作１４０８において受信された第１の電気通信技術に基づいて修正されてもよい。加えて、または代替として、第２のＰＷＳ出力メッセージのデータ構造は、ブロードキャストメッセージ自体のコンテンツに基づいて修正されてもよい。
【００９７】
ブロードキャストメッセージがＧＥＲＡＮを経由して動作１４０８において受信される場合、リレーＵＥ３２０は、データ構造７００に従って第２のＰＷＳメッセージのデータ構造をフォーマットしてもよい。ある実施形態では、リレーＵＥ３２０は、動作１４０８において受信されるブロードキャストメッセージ内の「メッセージ識別子」６１０を検証することに基づいて、第２のＰＷＳ出力メッセージのデータ構造を修正するように構成されてもよい。例えば、ブロードキャストＰＷＳメッセージがＧＥＲＡＮを経由して受信される場合、リレーＵＥ３２０は、メッセージ識別子６１０を検証し、（ｉ）メッセージ識別子が値の第１のセット（例えば、「１１００Ｈｅｘ」および「１１２ＢＨｅｘ」）において構成される場合、リレーＵＥ３２０が、「データコーディングスキーム」パラメータ（例えば、図７のデータコーディングスキーム７１５）を第１の値（例えば、「１０１」）に設定し、ＰＷＳ出力メッセージ内に（例えば、図７の「シリアル番号」７０５から先へ）受信されたブロードキャストメッセージのコンテンツを含み得るように第２のＰＷＳメッセージのデータ構造を修正してもよい。ある実施形態では、動作１４０８において受信されるブロードキャストメッセージのコンテンツは、図７に示される「メッセージのコンテンツ」フィールド７２５内に含まれてもよい。
【００９８】
ブロードキャストメッセージがＵＴＲＡＮを経由して動作１４０８において受信される場合、リレーＵＥ３２０は、データ構造８００に従って第２のＰＷＳ出力メッセージのデータ構造をフォーマットしてもよい。ある実施形態では、リレーＵＥ３２０は、動作１４０８において受信されるブロードキャストメッセージ内の「メッセージ識別子」６１０を検証することに基づいて、第２のＰＷＳ出力メッセージのデータ構造を修正するように構成されてもよい。例えば、ブロードキャストメッセージがＵＴＲＡＮを経由して受信される場合、リレーＵＥ３２０は、メッセージ識別子６１０を検証し、（ｉ）メッセージ識別子が値の第１のセット（例えば、「１１００（Ｈｅｘ）」および「１１２Ｂ（Ｈｅｘ）」）において構成される場合、リレーＵＥ３２０が、「データコーディングスキーム」パラメータ（例えば、図８のデータコーディングスキーム８２０）を第１の値（例えば、「１０１」）に設定し、出力ＰＷＳメッセージ内に（例えば、図８の「メッセージタイプ」８０５から先へ）受信されたブロードキャストメッセージのコンテンツを含み得るように、第２のＰＷＳ出力メッセージのデータ構造を修正してもよい。ある実施形態では、動作１４０８において受信されるブロードキャストメッセージのコンテンツは、図８に示される「ＣＢデータ」フィールド８２５内に含まれてもよい。
【００９９】
ブロードキャストメッセージがＥ−ＵＴＲＡＮを経由して動作１４０８において受信される場合、リレーＵＥ３２０は、データ構造９００に従って第２のＰＷＳ出力メッセージのデータ構造をフォーマットしてもよい。ある実施形態では、リレーＵＥ３２０は、動作１４０８において受信されるブロードキャストメッセージ内の「メッセージ識別子」６１０を検証することに基づいて、第２のＰＷＳ出力メッセージのデータ構造を修正するように構成されてもよい。例えば、ブロードキャストメッセージがＥ−ＵＴＲＡＮを経由して受信される場合、リレーＵＥ３２０は、メッセージ識別子６１０を検証し、（ｉ）メッセージ識別子が値の第１のセット（例えば、「１１００（Ｈｅｘ）」および「１１２Ｂ（Ｈｅｘ）」）において構成される場合、リレーＵＥ３２０が、「データコーディングスキーム」パラメータ（例えば、図９のデータコーディングスキーム９２０）を第１の値（例えば、「１０１」）に設定し、ＰＷＳ出力メッセージ内に（例えば、図９の「メッセージ識別子」９０５から先へ）受信されたブロードキャストメッセージのコンテンツを含み得るように第２のＰＷＳ出力メッセージのデータ構造を修正してもよい。ある実施形態では、動作１４０８において受信されるブロードキャストメッセージのコンテンツは、図９に示される「ＣＢデータ｛警報メッセージコンテンツＥ−ＵＴＲＡＮ｝」フィールド９１５内に含まれてもよい。
【０１００】
動作１４１２において、リレーＵＥ３２０は、第２のＰＷＳ出力メッセージを伝送し、これはさらに、遠隔ＵＥ３３０によって受信され、第２のＰＷＳ出力メッセージは、それを経由してブロードキャストメッセージが動作１４０８において受信されたものと異なる通信技術を経由して第２のＤＥＮＭとして伝送される。ある実施形態では、それを経由して第２のＤＥＮＭが伝送される異なる通信技術は、Ｖ２Ｘ伝送技術を含む。
【０１０１】
いくつかの実施形態では、リレーＵＥ３２０は、特定のＰＷＳメッセージ（例えば、動作１４０２または１４０８において受信されるもの等）の地理的エリアがＰＬＮＭ全体であると決定してもよい。そのような場合では、リレーＵＥ３２０は、ＰＷＳメッセージが再ブロードキャストされ得ることを示すために、異なる通信技術を経由して遠隔ＵＥ３３０にインジケーションを送信してもよい。一実装では、リレーＵＥ３２０は、ＰＷＳメッセージ内の再ブロードキャストフラグを使用してそのようなインジケーションを提供してもよい。そのようなインジケーションを受信することに応じて、遠隔ＵＥ３３０は、後続Ｖ２Ｘメッセージ内でそのＰＷＳメッセージを再ブロードキャストすることを決定してもよい。
【０１０２】
ある実施形態では、リレーＵＥ３２０は、リレーＵＥ３２０がネットワークノード３１０から警報メッセージ（例えば、一次または二次ＰＷＳ通知を含有するブロードキャストメッセージ）を受信する度に、上記に説明される機能性を実施し続けるように構成されてもよい。いくつかの実施形態では、リレーＵＥ３２０（またはその機能）は、フロー図４００に関して前述で説明されるもの等のネットワークノード３１０と組み合わせられてもよい。
【０１０３】
本明細書に説明される種々の方法または動作は、ネットワーク要素によって実装されてもよい。例示的ネットワーク要素が、図１６に関して示される。図１６では、ネットワーク要素３１１０は、プロセッサ３１２０と、通信サブシステム３１３０とを含み、プロセッサ３１２０および通信サブシステム３１３０は、前述で説明される方法または動作を実施するように協働する。
【０１０４】
さらに、本明細書に説明される種々の方法または動作は、通信デバイス（例えば、ネットワークノード３１０、リレーＵＥ３２０、遠隔ＵＥ３３０等）によって実装されてもよい。通信デバイスの実施例が、図１７に関して下記に説明される。通信デバイス３２００は、音声およびデータ通信能力を有する双方向無線通信デバイスを備えてもよい。いくつかの実施形態では、音声通信能力は、随意である。通信デバイス３２００は、概して、インターネット上で他のコンピュータシステムと通信する能力を有する。提供される厳密な機能性に応じて、通信デバイス３２００は、実施例として、データメッセージングデバイス、双方向ページャ、無線電子メールデバイス、データメッセージング能力を伴う携帯電話、無線インターネットアプライアンス、無線デバイス、スマートフォン、モバイルデバイス、またはデータ通信デバイスと称され得る。
【０１０５】
通信デバイス３２００が双方向通信をイネーブルにされる場合、これは、受信機３２１２および送信機３２１４、および１つ以上のアンテナ要素３２１６および３２１８、局部発振器（ＬＯ）３２１３、およびデジタル信号プロセッサ（ＤＳＰ）３２２０等の処理モジュール等の関連付けられるコンポーネントを含む、通信サブシステム３２１１を組み込んでもよい。通信サブシステム３２１１の特定の設計は、通信デバイス３２００が動作することが意図される通信ネットワーク３２１９に依存してもよい。
【０１０６】
ネットワークアクセスもまた、通信ネットワーク３２１９のタイプに応じて変動してもよい。いくつかのネットワークでは、ネットワークアクセスは、通信デバイス３２００の加入者またはユーザと関連付けられる。通信デバイス３２００は、ネットワーク上で動作するために、可撤性ユーザ識別モジュール（ＲＵＩＭ）または加入者識別モジュール（ＳＩＭ）カードを使用してもよい。ＳＩＭ／ＲＵＩＭインターフェース３２４４は、典型的には、その中にＳＩＭ／ＲＵＩＭカードが挿入され得るカードスロットと類似する。ＳＩＭ／ＲＵＩＭカードは、メモリを有してもよく、多くのキー構成３２５１および識別および加入者関連情報等の他の情報３２５３を保持してもよい。
【０１０７】
ネットワーク登録またはアクティブ化プロシージャが完了されると、通信デバイス３２００は、通信ネットワーク３２１９を経由して通信信号を送信および受信してもよい。図示されるように、通信ネットワーク３２１９は、通信デバイス３２００と通信する複数の基地局を備えてもよい。
【０１０８】
アンテナ３２１６によって通信ネットワーク３２１９を通して受信される信号は、信号増幅、周波数ダウンコンバージョン、フィルタリング、チャネル選択、および同等物等の一般的受信機機能を実施し得る、受信機３２１２に入力される。受信された信号のアナログ／デジタル（Ａ／Ｄ）変換は、復調およびデコーディング等のより複雑な通信機能がＤＳＰ３２２０内で実施されることを可能にする。類似する様式で、伝送される信号が、例えば、ＤＳＰ３２２０によって、変調およびエンコーディングを含めて処理され、デジタル／アナログ（Ｄ／Ａ）変換、周波数アップコンバージョン、フィルタリング、増幅、およびアンテナ３２１８を介した通信ネットワーク３２１９を経由する伝送のために送信機３２１４に入力される。ＤＳＰ３２２０は、通信信号を処理するだけではなく、また、受信機および送信機制御を提供することも行う。例えば、受信機３２１２および送信機３２１４内の通信信号に適用される利得は、ＤＳＰ３２２０において実装される自動利得制御アルゴリズムを通して適応的に制御されてもよい。
【０１０９】
通信デバイス３２００は、概して、本デバイスの全体的動作を制御するプロセッサ３２３８を含む。データおよび音声通信を含む通信機能は、プロセッサ３２３８と協働する通信サブシステム３２１１を通して実施される。プロセッサ３２３８はまた、ディスプレイ３２２２、フラッシュメモリ３２２４、ランダムアクセスメモリ（ＲＡＭ）３２２６、補助入力／出力（Ｉ／Ｏ）サブシステム３２２８、シリアルポート３２３０、キーボードまたはキーパッド３２３２等の１つ以上のユーザインターフェース、スピーカ３２３４、マイクロホン３２３６、近距離通信サブシステム等の他の通信サブシステム３２４０、および、概して、３２４２と指定される任意の他のデバイスサブシステム等のさらなるデバイスサブシステムと相互作用する。シリアルポート３２３０は、ＵＳＢポートまたは現在公知または将来開発される他のポートを含んでもよい。
【０１１０】
図示されるサブシステムのうちのいくつかが、通信関連機能を実施する一方、他のサブシステムが、「常駐」またはオンデバイス機能を提供してもよい。とりわけ、例えば、キーボード３２３２およびディスプレイ３２２２等のいくつかのサブシステムが、通信ネットワークを経由する伝送のためのテキストメッセージの入力等の通信関連機能および計算機またはタスクリスト等のデバイス常駐機能の両方のために使用されてもよい。
【０１１１】
プロセッサ３２３８によって使用されるオペレーティングシステムソフトウェアが、代わりに読取専用メモリ（ＲＯＭ）または類似する記憶要素（図示せず）であり得るフラッシュメモリ３２２４等の恒久的記憶装置内に記憶されてもよい。オペレーティングシステム、具体的デバイスアプリケーション、またはその一部は、ＲＡＭ３２２６等の揮発性メモリに一時的にロードされてもよい。受信された通信信号もまた、ＲＡＭ３２２６内に記憶されてもよい。
【０１１２】
示されるように、フラッシュメモリ３２２４は、コンピュータプログラム３２５８およびプログラムデータ記憶装置３２５０、３２５２、３２５４、および３２５６の両方のための異なる面積によって構成されてもよい。これらの異なる記憶装置タイプは、各プログラムがフラッシュメモリ３２２４の一部をそれらの独自のデータ記憶使用のために分配し得ることを示す。プロセッサ３２３８は、そのオペレーティングシステム機能に加えて、通信デバイス３２００上でのソフトウェアアプリケーションの実行を可能にし得る。例えば、少なくともデータおよび音声通信アプリケーションを含む、基本的動作を制御するアプリケーションの所定のセットが、典型的には、製造の間に通信デバイス３２００上にインストールされてもよい。他のアプリケーションが、続けて、または動的にインストールされてもよい。
【０１１３】
アプリケーションおよびソフトウェアが、任意のコンピュータ可読記憶媒体上に記憶されてもよい。コンピュータ可読記憶媒体は、有形である、または光学（例えば、ＣＤ、ＤＶＤ等）、磁気（例えば、テープ）、または現在公知または将来開発される他のメモリ等の一過性／非一過性媒体内にあってもよい。
【０１１４】
１つのソフトウェアアプリケーションは、限定ではないが、電子メール、カレンダイベント、ボイスメール、アポイントメント、およびタスクアイテム等の通信デバイス３２００のユーザに関連するデータアイテムを編成および管理する能力を有する、個人情報マネージャ（ＰＩＭ）アプリケーションであってもよい。１つ以上のメモリ記憶装置が、ＰＩＭデータアイテムの記憶を促進するために、通信デバイス３２００上で利用可能であってもよい。そのようなＰＩＭアプリケーションは、無線ネットワーク３２１９を介してデータアイテムを送信および受信する能力を有してもよい。さらなるアプリケーションもまた、通信ネットワーク３２１９、補助Ｉ／Ｏサブシステム３２２８、シリアルポート３２３０、近距離通信サブシステム３２４０、または任意の他の好適なサブシステム３２４２を通して通信デバイス３２００上にロードされ、プロセッサ３２３８による実行のためにＲＡＭ３２２６または不揮発性記憶装置（図示せず）内にユーザによってインストールされてもよい。アプリケーションインストールにおけるそのような柔軟性は、通信デバイス３２００の機能性を増大させ得、強化されたオンデバイス機能、通信関連機能、または両方を提供し得る。例えば、セキュアな通信アプリケーションは、電子商取引機能および他のそのような金融取引が通信デバイス３２００を使用して実施されることを可能にし得る。
【０１１５】
データ通信モードでは、テキストメッセージまたはウェブページダウンロード等の受信された信号が、通信サブシステム３２１１によって処理され、プロセッサ３２３８に入力されてもよく、これはさらに、ディスプレイ３２２２への、または代替として、補助Ｉ／Ｏデバイス３２２８への出力のために受信された信号を処理してもよい。
【０１１６】
通信デバイス３２００のユーザはまた、ディスプレイ３２２２および可能性として補助Ｉ／Ｏデバイス３２２８と併せて、とりわけ、物理的またはオンスクリーン／仮想完全英数字キーボードまたは電話タイプキーパッドであり得るキーボード３２３２を使用して、例えば、電子メールメッセージ等のデータアイテムを作成してもよい。そのような作成されたアイテムは、次いで、通信ネットワークを経由して通信サブシステム３２１１を通して伝送されてもよい。
【０１１７】
音声通信に関して、通信デバイス３２００の全体的動作は、受信された信号が、典型的には、スピーカ３２３４に出力され得、伝送のための信号が、マイクロホン３２３６によって生成され得ることを除いて、類似する。音声メッセージ記録サブシステム等の代替音声またはオーディオＩ／Ｏサブシステム３２２８もまた、通信デバイス３２００上に実装されてもよい。音声またはオーディオ信号出力は、主として、スピーカ３２３４を通して遂行され得るが、ディスプレイ３２２２もまた、例えば、起呼側の識別、音声通話の持続時間、または他の音声通話関連情報のインジケーションを提供するために使用されてもよい。
【０１１８】
シリアルポート３２３０は、ユーザのデスクトップコンピュータ（図示せず）との同期が望ましくあり得る携帯情報端末（ＰＤＡ）タイプデバイスにおいて実装されてもよいが、そのようなポートは、随意のデバイスコンポーネントである。そのようなポート３２３０は、ユーザが、外部デバイスまたはソフトウェアアプリケーションを通して選好を設定することを可能にしてもよく、無線通信ネットワーク以外を通して通信デバイス３２００に情報またはソフトウェアダウンロードを提供することによって、通信デバイス３２００の能力を拡張してもよい。代替ダウンロードパスが、例えば、直接、したがって、信頼性のある確かな接続を通して通信デバイス３２００上に暗号化キーをロードし、それによって、セキュアなデバイス通信を可能にするために使用されてもよい。シリアルポート３２３０はさらに、モデムとして作用するように本デバイスをコンピュータに接続するために使用されてもよい。
【０１１９】
近距離通信サブシステム等の他の通信サブシステム３２４０は、通信デバイス３２００と、必ずしも類似するデバイスである必要はない異なるシステムまたはデバイスとの間の通信を提供し得る、さらなる随意のコンポーネントである。例えば、サブシステム３２４０は、同様にイネーブルにされたシステムおよびデバイスとの通信を提供するために、赤外線デバイスおよび関連付けられる回路およびコンポーネントまたはＢｌｕｅｔｏｏｔｈ（登録商標）通信モジュールを含んでもよい。サブシステム３２４０はさらに、無線ローカルエリアネットワーク（例えば、Ｗｉ−Ｆｉ（Ｒ））、ＷｉＭＡＸ、近距離無線通信（ＮＦＣ）、および／または無線周波数識別（ＲＦＩＤ）等の非セルラー通信を含んでもよい。他の通信サブシステム３２４０はまた、タブレットディスプレイ、キーボード、またはプロジェクタ等の補助デバイスと通信するために使用されるべき他の好適な要素を含んでもよい。
【０１２０】
上記に説明される通信デバイス３２００および他のコンポーネントは、上記に説明されるアクションに関連する命令を実行することが可能である処理コンポーネントを含み得る。図１８は、本明細書に開示される１つ以上の実施形態を実装するために好適な処理コンポーネント３３１０を含む、システム３３００の実施例を図示する。プロセッサ３３１０（中央プロセッサユニットまたはＣＰＵと称され得る）に加えて、システム３３００は、ネットワークコネクティビティデバイス３３２０と、ランダムアクセスメモリ（ＲＡＭ）３３３０と、読取専用メモリ（ＲＯＭ）３３４０と、二次記憶装置３３５０と、入力／出力（Ｉ／Ｏ）デバイス３３６０とを含み得る。これらのコンポーネントは、バス３３７０を介して相互に通信し得る。ある場合には、これらのコンポーネントのうちのいくつかは、存在しない場合がある、または相互にまたは示されない他のコンポーネントと種々の組み合わせで組み合わせられてもよい。これらのコンポーネントは、単一の物理的エンティティ内に、または１つを上回る物理的エンティティ内に位置し得る。プロセッサ３３１０によって行われるものとして本明細書に説明される任意のアクションは、プロセッサ３３１０のみによって、またはデジタル信号プロセッサ（ＤＳＰ）３３８０等、図面に示される、または示されない１つ以上のコンポーネントと併せてプロセッサ３３１０によって行われ得る。ＤＳＰ３３８０は、別個のコンポーネントとして示されるが、ＤＳＰ３３８０は、プロセッサ３３１０に組み込まれ得る。
【０１２１】
プロセッサ３３１０は、これがネットワークコネクティビティデバイス３３２０、ＲＡＭ３３３０、ＲＯＭ３３４０、または二次記憶装置３３５０（ハードディスク、フロッピー（登録商標）ディスク、または光学ディスク等の種々のディスクベースのシステムを含み得る）からアクセスし得る命令、コード、コンピュータプログラム、またはスクリプトを実行する。１つのみのＣＰＵ３３１０が示されるが、複数のプロセッサが、存在してもよい。したがって、命令は、あるプロセッサによって実行されるものとして議論され得るが、命令は、同時に、連続的に、または１つまたは複数のプロセッサによって別様に実行されてもよい。プロセッサ３３１０は、１つ以上のＣＰＵチップとして実装されてもよい。
【０１２２】
ネットワークコネクティビティデバイス３３２０は、モデム、モデムバンク、イーサネット（登録商標）デバイス、ＵＳＢインターフェースデバイス、シリアルインターフェース、トークンリングデバイス、ファイバ分散データインターフェース（ＦＤＤＩ）デバイス、無線ローカルエリアネットワーク（ＷＬＡＮ）デバイス、符号分割多重アクセス（ＣＤＭＡ）デバイス、ＧＳＭ（登録商標）無線送受信機デバイス、ＵＭＴＳ無線送受信機デバイス、ＬＴＥ無線送受信機デバイス、新世代無線送受信機デバイス等の無線送受信機デバイス、世界規模相互運用マイクロ波アクセス（ＷｉＭＡＸ）デバイス、および／またはネットワークに接続するための他の周知のデバイスの形態をとってもよい。これらのネットワークコネクティビティデバイス３３２０は、プロセッサ３３１０が、インターネットまたは１つ以上の電気通信ネットワークまたは他のネットワーク（それからプロセッサ３３１０が情報を受信し得る、またはそれにプロセッサ３３１０が情報を出力し得る）と通信することを可能にし得る。ネットワークコネクティビティデバイス３３２０はまた、無線でデータを伝送および／または受信することが可能な１つ以上の送受信機コンポーネント３３２５を含み得る。
【０１２３】
ＲＡＭ３３３０は、揮発性データを記憶し、おそらく、プロセッサ３３１０によって実行される命令を記憶するために使用され得る。ＲＯＭ３３４０は、典型的には、二次記憶装置３３５０のメモリ容量よりも少ないメモリ容量を有する、不揮発性メモリデバイスである。ＲＯＭ３３４０は、命令およびおそらく命令の実行の間に読み取られるデータを記憶するために使用され得る。ＲＡＭ３３３０およびＲＯＭ３３４０の両方へのアクセスは、典型的には、二次記憶装置３３５０へのアクセスよりも速い。二次記憶装置３３５０は、典型的には、１つ以上のディスクドライブまたはテープドライブから成り、データの不揮発性記憶のために、またはＲＡＭ３３３０が全ての作業データを保持するために十分に大きくない場合、オーバーフローデータ記憶デバイスとして使用され得る。二次記憶装置３３５０は、そのようなプログラムが実行のために選択されるとき、ＲＡＭ３３３０にロードされるプログラムを記憶するために使用されてもよい。
【０１２４】
Ｉ／Ｏデバイス３３６０は、液晶ディスプレイ（ＬＣＤ）、タッチスクリーンディスプレイ、キーボード、キーパッド、スイッチ、ダイヤル、マウス、トラックボール、音声認識装置、カードリーダ、紙テープリーダ、プリンタ、ビデオモニタ、または他の周知の入力／出力デバイスを含んでもよい。また、送受信機３３２５は、ネットワークコネクティビティデバイス３３２０のコンポーネントであることの代わりに、またはそれに加えてＩ／Ｏデバイス３３６０のコンポーネントであると見なされ得る。
【０１２５】
以下、すなわち、３ＧＰＰ  ＴＳ  ＴＳ  ２３．２８５、３ＧＰＰ  ＴＳ  ２３．３０３、３ＧＰＰ  ＴＳ  ２３．０４１、３ＧＰＰ  ＴＳ  ３６．３２１、３ＧＰＰ  ＴＳ  ３６．３３１、３ＧＰＰ  ＴＳ  ２２．２６８、ＥＴＳＩ  ＥＮ  ３０２  ６６５、ＥＴＳＩ  ＴＳ  １０２  ８９４−２、ＥＴＳＩ  ＥＮ  ３０２  ６３７−２、ＥＴＳＩ  ＥＮ  ３０２  ６３７−３、ＥＴＳＩ  ＴＳ  １０２  ９６５、ＳＰ−１６０７３３、および３ＧＰＰ  ＴＳ  ２２．９６９は、あらゆる目的のために、参照することによって本明細書に組み込まれる。
【０１２６】
ある実施形態では、公衆警報システム（ＰＷＳ）メッセージを中継するための方法が、提供される。本方法は、通信デバイスが、第１の通信技術を経由してＰＷＳメッセージを受信するステップを含む。本方法はまた、通信デバイスが、第２の通信技術を経由してＰＷＳメッセージを中継する（例えば、受信されたＰＷＳメッセージの全てまたは一部を伝送する）ステップを含み、第２の通信技術は、第１の通信技術と異なる。
【０１２７】
別の実施形態では、通信デバイスが、提供される。通信デバイスは、命令を含有するメモリと、メモリに結合されるプロセッサとを備える。プロセッサは、通信デバイスが第１の通信技術を経由してＰＷＳメッセージを受信し、通信デバイスが第２の通信技術を経由してＰＷＳメッセージを中継する（例えば、受信されたＰＷＳメッセージの全てまたは一部を伝送する）ように命令を実行するように構成され、第２の通信技術は、第１の通信技術と異なる。
【０１２８】
さらに別の実施形態では、コンピュータ可読媒体が、提供される。コンピュータ可読媒体は、プロセッサによって実行されると、通信デバイスにある方法を実装させる命令を含有する。本方法は、通信デバイスが、第１の通信技術を経由してＰＷＳメッセージを受信するステップを含む。本方法はまた、通信デバイスが、第２の通信技術を経由してＰＷＳメッセージを中継する（例えば、受信されたＰＷＳメッセージの全てまたは一部を伝送する）ステップを含み、第２の通信技術は、第１の通信技術と異なる。
【０１２９】
いくつかの実施形態が、本開示に提供されているが、開示されるシステムおよび方法は、本開示の精神または範囲から逸脱することなく、多くの他の具体的形態において具現化され得ることを理解されたい。本実施例は、制限的ではなく、例証的と見なされるものであり、その意図は、本明細書に与えられる詳細に限定されるものではない。例えば、種々の要素またはコンポーネントが、別のシステムにおいて組み合わせられるまたは統合されてもよい、またはある特徴が、省略されるまたは実装されない場合がある。
【０１３０】
また、離散または別個のものとして種々の実施形態に説明および例証される技法、システム、サブシステム、および方法は、本開示の範囲から逸脱することなく、他のシステム、モジュール、技法、または方法と組み合わせられるまたは統合されてもよい。相互に結合される、または直接結合される、または通信するものとして示されるまたは議論される他のアイテムは、電気的であるか、機械的であるか、または別様であるかにかかわらず、あるインターフェース、デバイス、または中間コンポーネントを通して間接的に結合されるまたは通信してもよい。変更、代用、および改変の他の実施例が、当業者によって確認可能であり、本明細書に開示される範囲から逸脱することなく行われ得る。
【図１】
2020519122.tif 000004
【図２】
2020519122.tif 000005
【図３】
2020519122.tif 000006
【図４】
2020519122.tif 000007
【図５】
2020519122.tif 000008
【図６】
2020519122.tif 000009
【図７】
2020519122.tif 000010
【図８】
2020519122.tif 000011
【図９】
2020519122.tif 000012
【図１０】
2020519122.tif 000013
【図１１】
2020519122.tif 000014
【図１２】
2020519122.tif 000015
【図１３】
2020519122.tif 000016
【図１４】
2020519122.tif 000017
【図１５−１】
2020519122.tif 000018
【図１５−２】
2020519122.tif 000019
【図１６】
2020519122.tif 000020
【図１７】
2020519122.tif 000021
【図１８】
2020519122.tif 000022
【国際調査報告】
2020519122.tif 000023
2020519122.tif 000024
2020519122.tif 000025